(57)【要約】【課題】画像形成装置の省電力化を図ること。【解決手段】使用中の装置（現装置）を監視し、各動作モード時間を記憶する（Ｓ１１）。監視結果に基づいて消費電力を算出する（Ｓ１２）。ＤＢから現装置と同程度の代替機を抽出し（Ｓ１３）、抽出した装置の省エネモード移行時間が現装置と同じである場合（Ｓ１４；Ｙ）、現装置の一定期間の動作パターンを抽出された機器で実施した場合における消費電力を算出する（Ｓ１５）。抽出した装置の省エネモード移行時間が現装置と同じでない場合（Ｓ１４；Ｎ）、電力値を補正して消費電力を算出する（Ｓ２３）。現装置の消費電力と抽出機の消費電力を照合し、一番消費電力の少ない機器を選定し（Ｓ１７）、選定した装置と現装置の消費電力、ＣＯ２排出量、選定した装置の仕様等を表示する（Ｓ１８〜２０）。算出した消費電力等を外部クライアントに送信する（Ｓ２１、Ｓ２２）。【選択図】図７
2007318401.tif 000002
【特許請求の範囲】
【請求項１】
画像形成装置とネットワークを介して接続された電力監視装置であって、
ネットワーク接続された画像形成装置の内、現在動作中の画像形成装置の動作状態を監視する監視手段と、
前記現在動作中の画像形成装置の消費電力を記憶する消費電力記憶手段と、
複数の画像形成装置の仕様の情報、及びそれぞれの画像形成装置における消費電力の情報が格納されたデーターベースと、
前記監視手段により検出された動作状態、及び、前記消費電力記憶手段により記憶された消費電力を、前記データーベースに格納されている情報と照らし合わせ、前記データーベースに格納されている画像形成装置の中から、前記現在動作中の画像形成装置より少ない消費電力で同様の画像形成処理を行うことが可能な画像形成装置を、電力消費量が低い代替え可能な画像形成装置として選定する選定手段と、
を備えたことを特徴とする電力監視装置。
【請求項２】
前記選定手段により選定された結果を表示する表示手段と、
前記表示手段により表示された画像形成装置の選択を受け付ける受付手段と、
を備えたことを特徴とする請求項１記載の電力監視装置。
【請求項３】
画像形成装置とネットワークを介して接続された電力監視装置であって、
複数の画像形成装置の仕様の情報、及び、それぞれの画像形成装置における、画像形成の動作モードに対応した消費電力の情報が格納されたデーターベースと、
現在動作中の画像形成装置の一定期間の動作状態を監視し記憶する監視記憶手段と、
前記監視記憶手段により記憶された情報に基づいて、現在動作中の画像形成装置の一定期間の消費電力を算出する第１の電力算出手段と、
前記データーベースより、当該電力監視装置による監視が可能な少なくとも１つの画像形成装置を代替機として抽出する抽出手段と、
前記抽出手段により抽出された代替機の消費電力を、前記監視記憶手段に記憶された動作状態及び前記データーベースに記憶された代替機の動作モードに対応した消費電力に基づいて算出する第２の電力算出手段と、
前記第１の電力算出手段の算出結果と前記第２の電力算出手段の算出結果に基づいて、電力消費量が低い代替え可能な画像形成装置を１つ選定する選定手段と、
を備えたことを特徴とする電力監視装置。
【請求項４】
前記第１の電力算出手段の算出結果、及び、前記第２の電力算出手段の算出結果を表示する表示手段と、
前記代替機または前記画像形成装置のいずれかの選択を受け付ける受付手段と、
を備え、
前記選定手段は、前記受付手段により受け付けられた選択情報に基づいて、電力消費量が低い代替え可能な画像形成装置を１つ選定することを特徴とする請求項３に記載の電力監視装置。
【請求項５】
前記表示手段は、前記第１の電力算出手段の算出結果、及び、前記第２の電力算出手段の算出結果と共に、それぞれの画像形成装置の仕様を表示することを特徴とする請求項４記載の電力監視装置。
【請求項６】
前記選定手段により選定された画像形成装置の内、前記第２の電力算出手段の算出結果が最も小さいものを画像形成処理を振り替える代替機として特定することを特徴とする請求項３記載の電力監視装置。
【請求項７】
前記受付手段により受け付けられた画像形成装置を画像形成処理を振り替える代替機として特定することを特徴とする請求項４又は請求項５記載の電力監視装置。
【請求項８】
前記第１の電力算出手段は、前記現在動作中の画像形成装置から取得したこの画像形成装置における消費電力の情報に基づいて、現在動作中の画像形成装置の一定期間の消費電力を算出することを特徴とする請求項３から請求項７のいずれか１の請求項に記載の電力監視装置。
【請求項９】
前記監視手段、または、前記監視記憶手段は、現在動作中の画像形成装置の動作状態として、画像形成装置の複写動作間隔を監視することを特徴とする請求項１から請求項８のいずれか１の請求項に記載の電力監視装置。
【請求項１０】
前記画像形成装置は、画像形成動作終了後に一定時間が経過すると前記画像形成装置の使用電力を削減する省エネモード期間を有し、
前記監視手段、または、前記監視記憶手段は、現在動作中の画像形成装置の動作状態として、前記省エネモードに移行する時間を監視することを特徴とする請求項１から請求項９のいずれか１の請求項に記載の電力監視装置。
【請求項１１】
前記データーベースは、画像形成装置の仕様の情報として、製品価格、時間当りの画像形成枚数、主電源ＯＮ後、画像形成動作が可能になる時間、省エネモード解除後に画像形成動作が可能になる時間、変倍機能、画像編集機能、両面／集約／分割機能またはオプション機能のうちの少なくともいずれか１つを格納することを特徴とする請求項１から請求項１０のいずれか１の請求項に記載の電力監視装置。
【請求項１２】
前記データーベースは、画像形成装置における消費電力の情報として、画像形成装置の待機時の消費電力、画像形成時の消費電力または画像形成枚数、省エネモード時の消費電力、主電源ＯＮ時のウォームアップ時の消費電力、省エネモード解除時の復帰時の消費電力のうちの少なくともいずれか１つを格納することを特徴とする請求項１から請求項１１のいずれか１の請求項に記載の電力監視装置。
【請求項１３】
前記消費電力記憶手段に記憶された前記現在動作中の画像形成装置の消費電力を二酸化炭素排出量に変換する変換手段を備えたことを特徴とする請求項１または請求項２記載の電力監視装置。
【請求項１４】
前記第１の電力算出手段の算出結果、及び、前記第２の電力算出手段の算出結果を二酸化炭素排出量に変換する変換手段を備えたことを特徴とする請求項３から請求項１２のいずれか１の請求項に記載の電力監視装置。
【請求項１５】
前記データーベースは、当該電力監視装置とネットワークを介して接続されていることを特徴とする請求項１から請求項１４のいずれか１の請求項に記載の電力監視装置。
【請求項１６】
当該電力監視装置は、クライアント装置とネットワーク接続され、
前記消費電力記憶手段に記憶された前記現在動作中の画像形成装置の消費電力、又は、前記第１の電力算出手段の算出結果と前記第２の電力算出手段の算出結果を、前記クライアント装置へ送信する送信手段を備えたことを特徴とする請求項１から請求項１５のいずれか１の請求項に記載の電力監視装置。
【請求項１７】
前記送信手段は、前記抽出された代替機の仕様を前記クライアント装置に送信することを特徴とする請求項１６に記載の電力監視装置。
【請求項１８】
請求項１から請求項１５のいずれか１の請求項に記載の電力監視装置と、前記電力監視装置とネットワーク接続されたクライアント装置と、前記電力監視装置とネットワーク接続された画像形成装置とを有する電力監視ネットワークシステムであって、
前記クライアント装置において、前記電力監視装置において抽出または選定された代替機を表示する表示手段と、
前記表示手段により表示された代替機から画像形成処理を振り替える代替機に特定する機器の選択を受け付ける受付手段と、
を備えたことを特徴とする電力監視ネットワークシステム。
【発明の詳細な説明】
【技術分野】
【０００１】
本発明は、ネットワークに接続された画像形成装置における消費電力の管理を行う電力監視装置及び電力監視ネットワークシステムに関し、特に、消費電力が少ない代替機の選択を促す技術に関する。
【背景技術】
【０００２】
現在、電力は地球資源を消費する形態で生産（発電）されており、電力消費の増大は地球環境の破壊に繋がるため、このような電気製品全般に消費電力を低減することが求められている。
各国で省エネに関連する規制や基準が設けられ、例えば、日本においては省エネ法、米国においてはエネルギースターが設けられている。これらの規制は、年々改定され基準が厳しくなってきている。
一方、ユーザ側においても環境に対する意識の向上、及び電気代の削減という観点から、カタログや宣伝における消費電力やエネルギー効率を重視して購入製品を決定する場合が増えている。
このようなことを考慮して、電子複写機やプリンタ装置などの画像形成装置においても、一定時間以上使用されない場合、通常の消費電力よりも電力低減した省エネモードに移行する省電力機能を搭載したものが多く製造／販売されている。
【０００３】
ところが、このような消費電力を削減する目的で、省エネモードに移行する画像形成装置においては、ユーザが使いたい時に装置が省エネモードに移行している場合、すぐに動作させることができずに、使い勝手が悪くなる、即ち利便性が低下してしまうという問題が生じるおそれがある。
従来、このような利便性の低下を抑制するための技術が、下記の特許文献をはじめ種々提案されている。
【特許文献１】特開２００４−２６８５２９公報
【特許文献２】特開２００４−１０１９１９公報
【特許文献３】特開２０００−３０９１４３公報
【０００４】
特許文献１には、印刷装置の使用状況に関するデーターを保持し、その印刷装置の使用状況に関するデーターをもとに印刷装置が使用されている環境に適した省電力モードへの移行時間を幾つかの選択肢の中から学習させ、その使用状況毎に最適な省電力モードへの移行時間を選択する印刷制御方式が提案されている。
【０００５】
また、特許文献２には、省エネモードに入るまでの適正な待機時間を、画像形成装置の置かれた事業所やオフィスの環境に応じて、さらにユーザの使用状況に合わせて自動的に決定する技術が提案されている。
詳しくは、画像形成装置の待機状態から省エネモードへ移行するまでの時間、及び省エネモードから待機状態に移行するまでの時間を計測し、曜日及び時刻を認識する時計手段を備え、画像形成装置の使用頻度の高い時間帯においては省エネモードへの移行時間を長く設定し、使用頻度の低い時間帯においては省エネモードに移行時間を短く設定する。
【０００６】
さらに、特許文献３には、ネットワークを介して接続された複数の画像形成装置の状態を検知し、画像データ、画像出力ジョブサイズ、及び複数の画像形成装置の状態に基づいて、画像出力に必要な消費電力が少なくなるように、画像出力装置を選択する技術が提案されている。
【発明の開示】
【発明が解決しようとする課題】
【０００７】
ところが、特許文献１や特許文献２で提案されているように、省電力機能を用いる時間帯や使用頻度に基づいて、省エネモードへの移行時間を単純に調整する技術を採用した場合、次のような不具合が生じるおそれがある。
上述したようにＯＡ機器（画像形成装置）の電力削減が求められているため、省エネモード状態の場合、画像形成装置では、定着装置の加熱部の電力供給を停止している。
そのため、省エネモードからの復帰時におけるウォームアップ時（画像形成動作が可能になるまでの間）の消費電力は、非常に大きくなる。
【０００８】
従って、省エネモードを解除して１枚コピーした場合の、１枚当りの消費電力と、省エネモードを解除して数十枚コピーした場合の、１枚当りの消費電力は大きく異なる。
例えば、１分間に３５枚のコピー出力が可能な画像形成装置の場合、省エネモードを解除して１枚コピーした場合における１枚当りの消費電力は、６．４Ｗ／枚である。
同一機で省エネモードを解除して３０枚コピーした場合における１枚当りの消費電力０．３６Ｗ／枚となる。
このように、少ないコピー枚数出力を、省エネモード解除後に多く実施すると消費電力は増大することになる。
【０００９】
また、特許文献３で提案されている技術を採用した場合、出力先が処理の都度異なり、場合によっては、出力先がユーザから遠く離れた位置に存在する装置となる可能性もあり、作業性が低下するおそれがある。
そこで本発明は、このような課題を考慮し、ユーザの利便性を考慮しつつ、画像形成装置における省電力化を適切に図ることができる電力監視装置及び電力監視ネットワークシステムを提供することを目的とする。
【課題を解決するための手段】
【００１０】
請求項１記載の発明では、画像形成装置とネットワークを介して接続された電力監視装置であって、ネットワーク接続された画像形成装置の内、現在動作中の画像形成装置の動作状態を監視する監視手段と、前記現在動作中の画像形成装置の消費電力を記憶する消費電力記憶手段と、複数の画像形成装置の仕様の情報、及びそれぞれの画像形成装置における消費電力の情報が格納されたデーターベースと、前記監視手段により検出された動作状態、及び、前記消費電力記憶手段により記憶された消費電力を、前記データーベースに格納されている情報と照らし合わせ、前記データーベースに格納されている画像形成装置の中から、前記現在動作中の画像形成装置より少ない消費電力で同様の画像形成処理を行うことが可能な画像形成装置を、電力消費量が低い代替え可能な画像形成装置として選定する選定手段と、を備えることにより上記目的を達成する。
【００１１】
請求項２記載の発明では、請求項１記載の電力監視装置において、前記選定手段により選定された結果を表示する表示手段と、前記表示手段により表示された画像形成装置の選択を受け付ける受付手段と、を備えたことを特徴とする。
【００１２】
請求項３記載の発明では、画像形成装置とネットワークを介して接続された電力監視装置であって、複数の画像形成装置の仕様の情報、及びそれぞれの画像形成装置における消費電力の情報が格納されたデーターベースと、現在動作中の画像形成装置の一定期間の動作状態を監視し記憶する監視記憶手段と、前記監視記憶手段により記憶された情報に基づいて、現在動作中の画像形成装置の一定期間の消費電力を算出する第１の電力算出手段と、前記データーベースより、当該電力監視装置による監視が可能な少なくとも１つの画像形成装置を代替機として抽出する抽出手段と、前記抽出手段により抽出された代替機の消費電力を、前記監視記憶手段に記憶された動作状態及び前記データーベースに記憶された代替機の動作モードに対応した消費電力に基づいて算出する第２の電力算出手段と、前記第１の電力算出手段の算出結果と前記第２の電力算出手段の算出結果を比較し、前記第２の電力算出手段の算出結果が、前記第１の電力算出手段の算出結果と前記第２の電力算出手段の算出結果に基づいて、電力消費量が低い代替え可能な画像形成装置を１つ選定する選定手段と、を備えることにより前記目的を達成する。
【００１３】
請求項４記載の発明では、請求項３に記載の電力監視装置において、前記第１の電力算出手段の算出結果、及び、前記第２の電力算出手段の算出結果を表示する表示手段と、前記代替機または前記画像形成装置のいずれかの選択を受け付ける受付手段と、を備え、前記選定手段は、前記受付手段により受け付けられた選択情報に基づいて、電力消費量が低い代替え可能な画像形成装置を１つ選定することを特徴とする。
【００１４】
請求項５記載の発明では、請求項４記載の電力監視装置において、前記表示手段は、前記第１の電力算出手段の算出結果、及び、前記第２の電力算出手段の算出結果と共に、それぞれの画像形成装置の仕様を表示することを特徴とする。
【００１５】
請求項６記載の発明では、請求項３記載の電力監視装置において、前記選定手段により選定された画像形成装置の内、前記第２の電力算出手段の算出結果が最も小さいものを画像形成処理を振り替える代替機として特定することを特徴とする。
【００１６】
請求項７記載の発明では、請求項４又は請求項５記載の電力監視装置において、前記受付手段により受け付けられた画像形成装置を画像形成処理を振り替える代替機として特定することを特徴とする。
【００１７】
請求項８記載の発明では、請求項３から請求項７のいずれか１の請求項に記載の電力監視装置において、前記第１の電力算出手段は、前記現在動作中の画像形成装置から取得したこの画像形成装置における消費電力の情報に基づいて、現在動作中の画像形成装置の一定期間の消費電力を算出することを特徴とする。
【００１８】
請求項９記載の発明では、請求項１から請求項８のいずれか１の請求項に記載の電力監視装置において、前記監視手段、又は、前記監視記憶手段は、現在動作中の画像形成装置の動作状態として、画像形成装置の複写動作間隔を監視することを特徴とする。
【００１９】
請求項１０記載の発明では、請求項１から請求項９のいずれか１の請求項に記載の電力監視装置において、前記画像形成装置は、画像形成動作終了後に一定時間が経過すると前記画像形成装置の使用電力を削減する省エネモード期間を有し、前記監視手段、又は、前記監視記憶手段は、現在動作中の画像形成装置の動作状態として、前記省エネモードに移行する時間を監視することを特徴とする。
【００２０】
請求項１１記載の発明では、請求項１から請求項１０のいずれか１の請求項に記載の電力監視装置において、前記データーベースは、画像形成装置の仕様の情報として、製品価格、時間当りの画像形成枚数、主電源ＯＮ後、画像形成動作が可能になる時間、省エネモード解除後に画像形成動作が可能になる時間、変倍機能、画像編集機能、両面／集約／分割機能又はオプション機能のうちの少なくともいずれか１つを格納することを特徴とする。
【００２１】
請求項１２記載の発明では、請求項１から請求項１１のいずれか１の請求項に記載の電力監視装置において、前記データーベースは、画像形成装置における消費電力の情報として、画像形成装置の待機時の消費電力、画像形成時の消費電力又は画像形成枚数、省エネモード時の消費電力、主電源ＯＮ時のウォームアップ時の消費電力、省エネモード解除時の復帰時の消費電力のうちの少なくともいずれか１つを格納することを特徴とする。
【００２２】
請求項１３記載の発明では、請求項１又は請求項２記載の電力監視装置において、前記消費電力記憶手段に記憶された前記現在動作中の画像形成装置の消費電力を二酸化炭素排出量（ＣＯ２排出量）に変換する変換手段を備えたことを特徴とする。
【００２３】
請求項１４記載の発明では、請求項３から請求項１２のいずれか１の請求項に記載の電力監視装置において、前記第１の電力算出手段の算出結果、及び、前記第２の電力算出手段の算出結果を二酸化炭素排出量（ＣＯ２排出量）に変換する変換手段を備えたことを特徴とする。
【００２４】
請求項１５記載の発明では、請求項１から請求項１４のいずれか１の請求項に記載の電力監視装置において、前記データーベースは、当該電力監視装置とネットワークを介して接続されていることを特徴とする。
【００２５】
請求項１６記載の発明では、請求項１から請求項１５のいずれか１の請求項に記載の電力監視装置において、当該電力監視装置は、クライアント装置とネットワーク接続され、前記消費電力記憶手段に記憶された前記現在動作中の画像形成装置の消費電力、又は、前記第１の電力算出手段の算出結果と前記第２の電力算出手段の算出結果を、前記クライアント装置へ送信する送信手段を備えたことを特徴とする。
【００２６】
請求項１７記載の発明では、請求項１６に記載の電力監視装置において、前記送信手段は、前記抽出された代替機の仕様を前記クライアント装置に送信することを特徴とする。
【００２７】
請求項１８記載の発明では、請求項１から請求項１５のいずれか１の請求項に記載の電力監視装置と、前記電力監視装置とネットワーク接続されたクライアント装置と、前記電力監視装置とネットワーク接続された画像形成装置とを有する電力監視ネットワークシステムであって、前記クライアント装置において、前記電力監視装置において抽出又は選定された代替機を表示する表示手段と、前記表示手段により表示された代替機から画像形成処理を振り替える代替機に特定する機器の選択を受け付ける受付手段と、を備えることにより前記目的を達成する。
【発明の効果】
【００２８】
請求項１記載の発明によれば、監視手段により検出された動作状態、及び、消費電力記憶手段により記憶された消費電力を、データーベースに格納されている情報と照らし合わせ、データーベースに格納されている画像形成装置の中から、現在動作中の画像形成装置より少ない消費電力で同様の画像形成処理を行うことが可能な画像形成装置を、電力消費量が低い代替え可能な画像形成装置として選定することにより、使用状態に応じた消費電力の少ない画像形成装置を選定することができる。
これにより、ユーザは、容易に使用状態に応じた消費電力の少ない画像形成装置を選択することができるため、画像形成処理における電力削減が可能となる。これに伴い、二酸化炭素の排出量削減が可能となる。
【００２９】
請求項２記載の発明によれば、選定手段により選定された結果を表示することにより、視覚的にユーザに選択肢を提示することができる。
【００３０】
請求項３記載の発明によれば、抽出手段により抽出された少なくとも１つの代替機の候補から、第１の電力算出手段の算出結果と第２の電力算出手段の算出結果に基づいて、電力消費量が低い代替え可能な画像形成装置を１つ選定することにより、使用状態に応じた消費電力の少ない画像形成装置を適切に選定することができる。
これにより、ユーザは、容易に使用状態に応じた消費電力の少ない画像形成装置を選択することができるため、画像形成処理における電力削減が可能となる。これに伴い、二酸化炭素の排出量削減が可能となる。
【００３１】
請求項４記載の発明によれば、第１の電力算出手段の算出結果、及び、第２の電力算出手段の算出結果を表示することにより、ユーザは、現在使用中の機器と代替機の消費電力を視覚的に容易に確認することができる。これにより、ユーザは、適切な判断により機器の選択が可能となる。
【００３２】
請求項５記載の発明によれば、第１の電力算出手段の算出結果、及び、第２の電力算出手段の算出結果と共に、それぞれの画像形成装置の仕様を表示することにより、ユーザは、現在使用中の機器と代替機の消費電力とこの機器の仕様を視覚的に容易に確認することができる。これにより、ユーザは、消費電力と機器の仕様に基づき、適切な判断により機器の選択が可能となる。
【００３３】
請求項６記載の発明によれば、選定手段により選定された画像形成装置の内、第２の電力算出手段の算出結果が最も小さいものを画像形成処理を振り替える代替機として特定することにより、使用状態に応じた消費電力の少ない画像形成装置を複数の画像形成装置の中から自動的に選択することができる。
【００３４】
請求項７記載の発明によれば、受付手段により受け付けられた画像形成装置を画像形成処理を振り替える代替機として特定することにより、ユーザは、現在使用中の機器の消費電力と複数の代替機の消費電力を参照して機器の選択ができる。これにより、ユーザにおける選択範囲を広げることができる。
【００３５】
請求項８記載の発明によれば、現在動作中の画像形成装置からこの画像形成装置における消費電力の情報を取得することにより、電力監視装置の負荷を軽減することができ、これにより、電力監視装置におけるネットワークのスループット（ｔｈｒｏｕｇｈｐｕｔ）の向上を図ることができる。
【００３６】
請求項９記載の発明によれば、現在動作中の画像形成装置の動作状態として、画像形成装置の複写動作間隔を監視することにより、消費電力の算出を使用状況により正確に行うことができるため、代替機の消費電力の算出精度の向上を図ることができる。
【００３７】
請求項１０記載の発明によれば、現在動作中の画像形成装置の動作状態として、省エネモードに移行する時間を監視することにより、消費電力の算出を使用状況により正確に行うことができるため、代替機の消費電力の算出精度の向上を図ることができる。
【００３８】
請求項１１記載の発明によれば、画像形成装置の仕様の情報として、製品価格、時間当りの画像形成枚数、主電源ＯＮ後、画像形成動作が可能になる時間、省エネモード解除後に画像形成動作が可能になる時間、変倍機能、画像編集機能、両面／集約／分割機能又はオプション機能のうちの少なくともいずれか１つをデーターベースに格納することにより、ユーザに最適な代替機の選択を促すことができるため、ユーザの利便性（満足度）を向上させることができる。
【００３９】
請求項１２記載の発明によれば、画像形成装置における消費電力の情報として、画像形成装置の待機時の消費電力、画像形成時の消費電力又は画像形成枚数、省エネモード時の消費電力、主電源ＯＮ時のウォームアップ時の消費電力、省エネモード解除時の復帰時の消費電力のうちの少なくともいずれか１つをデーターベースに格納することにより、消費電力の算出を使用状況に基づいて、より正確に行うことができるため、代替機の消費電力の算出精度を向上させることができる。
【００４０】
請求項１３記載の発明によれば、現在動作中の画像形成装置の消費電力を二酸化炭素排出量（ＣＯ２排出量）に変換することにより、二酸化炭素（ＣＯ２）の排出量を確認することができる。
請求項１４記載の発明によれば、第１の電力算出手段の算出結果、及び、第２の電力算出手段の算出結果を二酸化炭素排出量（ＣＯ２排出量）に変換することにより、二酸化炭素（ＣＯ２）の排出量を確認することができる。
【００４１】
請求項１５記載の発明によれば、データーベースと当該電力監視装置とネットワークを介して接続することにより、データーベースを多くのユーザが閲覧することができる。
【００４２】
請求項１６記載の発明によれば、消費電力記憶手段に記憶された現在動作中の画像形成装置の消費電力、又は、第１の電力算出手段の算出結果と第２の電力算出手段の算出結果をクライアント装置へ送信することにより、ユーザは、クライアント装置を操作することによりこれらの情報を確認することができる。
【００４３】
請求項１７記載の発明によれば、抽出された代替機の仕様をクライアント装置に送信することにより、ユーザは、クライアント装置を操作することによりこれらの情報を確認することができる。
【００４４】
請求項１８記載の発明によれば、クライアント装置に表示された代替機から、画像形成処理を振り替える代替機に特定する機器の選択を受け付けることにより、ユーザが直接、代替機器を選択することができる。
【発明を実施するための最良の形態】
【００４５】
以下、本発明の好適な実施の形態について、図１〜図１９を参照して詳細に説明する。
本実施の形態では、社内ＬＡＮ（ローカル・エリア・ネットワーク）等のネットワークを介して接続された機器の消費電力の監視（管理）制御を行う電力監視ネットワークシステムについて説明する。
図１は、本実施の形態に係る電力監視ネットワークシステムの概略構成を示した図である。
図に示すように、本実施の形態に係る電力監視ネットワークシステムでは、オフィス又はビル等に設置された、ルータ（Ｒｏｕｔｅｒ）１１４、監視装置１０８、画像形成装置１０４、１１０、１１１、プリンタ機能とＦＡＸ機能を備えた複合機からなる画像形成装置１０３、ＰＣ（パソコン）１０９、ＦＡＸ（装置）１１２、照明設備制御装置１１３、空調機１０５、入退出管理システム１１５などの装置が、社内ＬＡＮを介して接続されている。
【００４６】
本実施の形態では、１階のフロア（Ａ居室）１１７に、ルータ１１４、監視装置１０８、画像形成装置１１０、１１１、ＦＡＸ（装置）１１２、照明設備制御装置１１３が配設されている。
また、１階のフロア（Ａ居室）１１７と異なる２階のフロア（Ｂ居室）１１８に、画像形成装置、１０３、１０４、ＰＣ１０９、空調機１０５、入退出管理システム１１５が配設されている。
【００４７】
社内ＬＡＮに接続されたこれらの装置は、ルータ１１４を介して、インターネット１３０上の（インターネット１３０に接続された）、画像形成機能を有する装置（画像形成装置１０３、１０４、１１０、１１１など）の個々の電力情報や価格を含む仕様が記憶されたデーターベース（ウェブサーバ）１０７、及びデーターベース１０７を公開し指定された特定のユーザが閲覧できる外部クライアント１１６と接続されている。
【００４８】
監視装置１０８及び外部クライアント１１６、入力、記憶、演算、制御、出力の５大機能を有するコンピュータから構成されている。
なお、社内ＬＡＮに接続された装置における消費電力を監視する監視装置１０８は、例えば、社員の入退出を監視するセキュリティ管理機能、照明の監視機能、空調設備の監視機能等を備えているが、本実施の形態では、画像形成機能を有する装置（画像形成装置１０３、１０４、１１０、１１１など）に対する電力監視機能について説明する。
また、画像形成装置１０３は、周囲の明るさを検知する光センサ１４０を有している。監視装置１０８は、この光センサ１４０の検知情報をモニタリングすることにより、リモート（遠隔）操作により画像形成装置１０３を省エネモードに移行させることができる。
【００４９】
入退出管理システム１１５は、ＩＣカードに個人情報を記憶した、ＩＣカード情報を読み込むことにより、人の入退出管理及びセキュリティ管理を行う装置である。
この入退出管理システム１１５は、各フロア又は、部屋（居室）の全ての人が退社した場合、及び各フロア又は、部屋（居室）に人が入った場合、その検知情報を社内ＬＡＮを介して通して監視装置１０８に送信する。
なお、監視装置１０８には、上述した機器（装置）の情報を記憶管理するデーターベース１０７（ウェブサーバ）上にデータを公開し指定された特定のユーザが外部クライアント１１６から閲覧できるようにしている。
【００５０】
監視装置１０８は、時計（計時）機能及びカレンダー機能を有しており予め設定された日時、又は、お昼休み等の休憩時間に照明等の電源及び画像形成装置の電源をＯＦＦしたり、省エネモードへの移行を実行させたりすることができる。
また、監視装置１０８は、予め設定された日時又は、お昼休み等の休憩が終了する時間に照明等の電源及び画像形成装置の電源をＯＮしたり、省エネモードの解除動作（復帰動作）を実行させたりすることができる。
【００５１】
さらに、監視装置１０８は、ネットワーク（社内ＬＡＮ）を介して、画像形成装置１０３、１０４、１１０、１１１のウォームアップモード、コピーモード（画像形成動作）、待機モード、省エネモード、復帰モード及びこの各動作モードの動作時間を監視し、そのモニタ結果（監視結果）を記憶する機能を有する。
なお、画像形成装置は、待機モード状態にて一定時間使用されない場合、省エネモードに移行するように構成されているため、この待機モード時間が省エネモード移行時間となる。
監視装置１０８は、この各モードの動作時間と、予め設定された各動作モード時の消費電力に基づき、各画像形成装置における消費電力の算出処理を行う。なお、消費電力の算出処理の詳細については後述する。
【００５２】
本実施の形態に係る電力監視ネットワークシステムでは、監視装置１０８を社内ＬＡＮに直接接続する場合について説明するが、監視装置１０８の接続方法は、これに限定されるものではない。
図２は、インターネット１３０を使用した電力監視ネットワークシステムの概略構成を示した図である。
監視装置２０８は、監視対象となる画像形成装置のネットワークアドレスを予め設定しておくことにより、図１に示す電力監視ネットワークシステムと同様の動作（処理）を行うことが可能である。
なお、監視装置２０８の動作は、図１に示す監視装置１０８と同じ動作を行うのでここでの説明は省略する。
【００５３】
複数の画像形成装置の個々の電力情報及び価格を含む仕様情報は、監視装置２０８に接続された管理サーバ２１９、又は、データーベース２０７（ウェブサーバ）に記憶され、指定された特定のユーザが外部クライアント２１６から閲覧できるように構成されている。
図２に示す電力監視ネットワークシステムは、インターネット１３０に接続された、Ａ社のネットワークシステム２１８、Ｂ社のネットワークシステム２１７、外部クライアント２１６、及び管理サーバ２１９（又はデーターベース２０７）を備えている。
【００５４】
Ａ社のネットワークシステム２１８は、画像形成装置２０３、２０４、２（プリンター）２０５、スキャナー２０６、入退出管理システム２１５が社内ＬＡＮに接続され、この社内ＬＡＮが、ファイアウォール（Ｆｉｒｅｗａｌｌ：外部から不正な侵入を防ぐ機能が組み込まれている）２０２を通してルータ（Ｒｏｕｔｅｒ）２０１に接続されている。
そして、Ａ社のネットワークシステム２１８は、ルータ２０１を介して、インターネット１３０に接続されている。
【００５５】
一方に、Ｂ社のネットワークシステム２１７は、画像形成装置２１０、画像形成装置２１１、ＦＡＸ２１２、パソコン２０９、照明設備制御装置２１３、ルータ（Ｒｏｕｔｅｒ）２１４が社内ＬＡＮに接続されている。
そして、Ｂ社のネットワークシステム２１７は、ルータ２１４を介して、インターネット１３０に接続されている。
Ａ社のネットワークシステム２１８及びＢ社のネットワークシステム２１７は、これらのネットワークシステム上に存在する機器を監視するための、監視装置２０８、管理サーバ（２１９）若しくは、ウェブサーバ（２０７）上にデーターを公開し指定された特定のユーザが閲覧できる外部クライアント２１６と、インターネット１３０を介して接続されている。
【００５６】
図３は、本実施の形態に係る電力監視ネットワークシステムに接続される画像形成装置における回路構成の一例を示した図である。
図３に示すように、画像形成装置１０３、１０４、１１０、１１１（以下、画像形成装置システムとする）は、画像形成装置システムの全体制御を行うコントローラボード５０１、コントローラボード５０１に接続された操作部ボード５０２、画像データを記憶するＨＤＤ５０３、ＬＡＮインターフェースボード５０５、汎用ＰＣＩバスを介してコントローラボード５０１に接続されたＦＡＸコントローユニット５０６、エンジン制御ボード５１０、エンジン制御ボード５１０に接続されたコピー原稿（画像）を読み込むスキャナーボード（ＳＢＵ）５１１、及び画像データをドラム上に書き込む書き込み制御用ボード５１２、定着装置に電力を供給するＡＣ制御回路５１９、及び上記各種ボード、制御回路に電源を供給するＰＳＵ５２５を備えている。
【００５７】
コントローラボード５０１には、ＣＰＵ（中央演算処理装置）及びコントローラボード５０１の制御を行うための各種プログラムが格納されたＲＯＭ（リード・オンリ・メモリ）、ＣＰＵが使用する作業用メモリであるＲＡＭ（ランダム・アクセス・メモリ）、リチウム電池によりＳＲＡＭ（スタティック・ランダム・アクセス・メモリ）のバックアップと時計機能を備えたＮＶ−ＲＡＭ（不揮発性ＲＡＭ）、コントローラボード５０１のシステムバス制御、ローカルバス制御、フレームメモリ、ＦＩＦＯ等のメモリインターフェース制御、ＰＣＩバス、ＨＤＤＩ／Ｆ、圧縮／伸長、編集／回転機能及びＣＰＵ周辺を制御する機能を搭載したＡＳＩＣ（特定用途向けＩＣ）、及びそのインターフェース回路等が搭載されている。
【００５８】
コントローラボード５０１に搭載されているＮＶ−ＲＡＭ５３１には、一定期間の画像形成装置の動作モード、復帰時間、コピーモード（画像形成動作）時間、待機モード時間及び省エネモード時間の情報（データ）、及び一定期間の消費電力の情報（データ）が記憶（格納）されている。
当該画像形成装置システムは、待機モード状態にて一定時間使用されない場合、省エネモードに移行する。従って、この待機モード時間が省エネモード移行時間となる。
省エネモードを初めとする各動作モード時間は、監視装置２０８により監視される。詳しくは、監視装置２０８は、社内ＬＡＮ１２０を介して、各動作モード時間情報を取得する。そして、監視装置２０８は、この各モードの動作時間と、予め設定された各動作モードの消費電力に基づいて各画像形成装置システムにおける消費電力の算出を行う。
【００５９】
また、コントローラボード５０１は、操作部ボード５０２からの操作者（ユーザ）の入力を解読して当該画像形成装置システムの設定情報、及びその状態内容を操作部（図示せず）の表示部に表示する。
操作部ボード５０２には、ＣＰＵ及びＲＯＭ、ＲＡＭ、ＬＣＤＣ及びキー入力を制御するＡＳＩＣ（ＬＣＤＣ）が搭載されている。
操作部ボード５０２のＲＯＭには、操作部ボード５０２における入力操作の読込み、及び表示出力を制御するプログラムが格納されている。
操作部ボード５０２のＲＡＭは、操作部ボード５０２のＣＰＵが使用する作業用メモリである。
【００６０】
エンジン制御ボード５１０は、画像形成装置システムにおける作像の作成制御を主として行う。
エンジン制御ボード５１０は、ＣＰＵ５１８、画像処理を行うＩＰＰ、複写及びプリントアウトを制御するため必要な各種プログラムを内蔵（格納）したＲＯＭ、その制御に必要なＲＡＭ、及びＮＶ―ＲＡＭ等を搭載している。
さらにエンジン制御ボード５１０は、他の制御を行うＣＰＵ、即ち、他の制御ボードにおけるＣＰＵとの信号の送受信を行うためのシリアルインターフェースを備えている。
【００６１】
また、エンジン制御ボード５１０は、画像形成装置システムにおける機械駆動系を制御するモータ、画像形成に使用する帯電、現像バイアス、転写バイアス等の高圧電源制御、コピー用紙を送り出すピックアップソレノイド、給紙クラッチ、レジストクラッチ等や、レジストセンサ、排出センサ、人体検知センサ、トナーエンドセンサ、Ｐセンサ、Ｔセンサ、定着温度を検出するサーミスター、画像形成装置システムが設置された周辺の光を検知する光センサ１４０等のアナログ制御を含む画像形成装置システムにおけるＩ／Ｏ（入出力）制御を実行するためのＩ／ＯＡＳＩＣを搭載している。
【００６２】
ＰＳＵ５２５は、スイッチング・レギュレータＩＣ５１５を備えており、画像形成装置システムが画像形成処理を実行するために必要な電源を、各ボード、制御回路及びメカトロ部品に供給する。
また、ＰＳＵ５２５は、エンジン制御ボード５１０のＣＰＵ５１８から、画像形成装置システムの使用電力を削減するための省エネモード移行信号（ｃ）が出力されると、コントローラボード５０１、ＬＡＮインターフェースボード５０５、省エネモード解除ＳＷ５０８及びＡＤＦセンサ５０９を除く部位への電源供給を停止するように構成されている。
【００６３】
ＬＡＮインターフェースボード５０５は、社内ＬＡＮ１２０と当該画像形成装置システム（詳しくは、コントローラボード５０１）とを接続するためのインターフェース機能を備えている。
なお、社内ＬＡＮ１２０とコントローラボード５０１間の通信インターフェースは、ＰＨＹチップＩ／ＦやＩ２ＣバスＩ／Ｆなど、標準的な通信インターフェースが用いられている。外部機器との通信は、このＬＡＮインターフェースボード５０５を経由して実施されるように構成されている。
【００６４】
ＬＡＮインターフェースボード５０５は、外部機器からの信号を受信すると、省エネモード解除信号（ａ）をＰＳＵ５２５に出力する。
ＰＳＵ５２５は、省エネモードを解除するために、画像形成装置システムにおける画像形成を行うために必要な部位（各ボード、制御回路及びメカトロ部品）への電源供給を開始（再開）する。これにより、画像形成装置システムは、主電源のスイッチが投入された時と同じ状態に復帰する。
【００６５】
また、ＰＳＵ５２５は、省エネモード解除ＳＷ５０８からの省エネモード解除信号（ｂ）や、画像読取部に設けられた圧板の開放を検知する圧板センサ５２２の出力信号、また、ＡＤＦ（自動原稿送り装置）への原稿挿入を検知するＡＤＦセンサ５０９の出力信号が入力されると、省エネモードの状態を解除するために、画像形成装置システムにおける画像形成を行うために必要な部位（各ボード、制御回路及びメカトロ部品）への電源供給を開始（再開）する。これにより、画像形成装置システムは、主電源のスイッチが投入された時と同じ状態に復帰する。
【００６６】
図４は、画像形成装置システムにおける動作パターンの一例を示した図である。
図４に示すように、画像形成装置における動作パターンは、起動時におけるウォームアップモード、画像形成処理を行うコピーモード、次回の画像形成処理までの待ち時間である待機モード、所定の機能を停止（休止）させて消費電力を低下させた省エネモード、省エネモードからコピーモードへの移行時間である復帰モードなどを備えている。そして、各コピー動作パターンにおいては、これらのモードの時間が異なる。
画像形成装置では、図４に示すような複数のコピー動作パターン１〜５が存在する。
【００６７】
図５は、省エネモード移行時間を変えた場合における動作パターンの一例を示した図である。
図５に示すように、コピー動作パターン３における待機モード、即ち、省エネモードへの移行時間を長く（伸ばして）設定した場合、図４におけるコピー動作パターン４における復帰モードがなくなるため、この復帰モードにおける消費電力を削減することができる。
【００６８】
図６は、画像形成装置毎のコピー枚数と消費電力との関係を示したグラフである。
図６に示すように、１枚当りの消費電力及びＮ枚当りの消費電力は、機器（画像形成装置）の仕様などの違いによって異なる。
そのため、ユーザの使用状況に合った画像形成装置を選択することにより、より適切に消費電力の低減化を図ることができる。
【００６９】
次に、このように構成される本実施の形態に係る電力監視ネットワークシステムにおける監視（管理）処理動作について説明する。
本実施の形態に係る電力監視ネットワークシステムでは、現状の画像形成装置に対して、消費電力の少ない代替機を選択する処理を行うことにより、消費電力の低減化を図るように構成されている。
図７は、本実施の形態に係る電力監視ネットワークシステムにおける画像形成装置の代替機を選択する処理の手順を示したフローチャートである。
なお、ここでは、代替機の選択対象となる画像形成装置１０３、１０４、１１０、１１１を対象画像形成装置と示す。
【００７０】
まず、監視装置１０８は、対象画像形成装置の一定期間の動作状態を監視し、各動作モード時間を記憶する（ステップ１１）。
次に、監視装置１０８は、一定期間の状態（各モードの動作時間）の監視結果に基づいて、対象画像形成装置の消費電力を算出し記憶する（ステップ１２）。
なお、画像形成装置の消費電力は、予め画像形成装置側で、一定期間の消費電力を記憶しておき、このデータを使用するようにしてもよい。
【００７１】
次に、監視装置１０８は、複数の画像形成装置の個々の電力情報及び価格を含む仕様情報を記憶したデーターベース１０７より、現在使用している画像形成装置と同程度の、代替機を抽出する（ステップ１３）。
続いて、監視装置１０８は、抽出した画像形成装置の省エネモード移行時間が、現在使用している画像形成装置と、同じであるか否かを判断する（ステップ１４）。
抽出した画像形成装置の省エネモード移行時間が、現在使用している画像形成装置と、同じである場合（ステップ１４；Ｙ）、現状の画像形成装置の一定期間の動作パターンを抽出された機器で実施した場合における消費電力を算出する（ステップ１５）。
抽出した画像形成装置が複数ある場合は、この処理動作を繰り返し実行する（ステップ１６）。
【００７２】
一方、抽出した画像形成装置の省エネモード移行時間が、現在使用している画像形成装置と、同じでない場合（ステップ１４；Ｎ）、復帰時間の電力、待機時間の電力、省エネモードの電力が異なるため、これらの値を補正して消費電力を算出する（ステップ２３）。
抽出した画像形成装置が複数ある場合は、この処理動作を繰り返し実行し（ステップ２４）、ステップ１７の処理に進む。
【００７３】
次に、監視装置１０８は、現状の画像形成装置の消費電力と抽出機の消費電力を参照（照合）し、一番消費電力の少ない機器を選定する（ステップ１７）。
また、監視装置１０８は、選定した画像形成装置の消費電力と現在使用している画像形成装置の消費電力を、ディスプレイに表示する（ステップ１８）。
続いて、監視装置１０８は、選定した画像形成装置の消費電力と、現在使用している画像形成装置の消費電力を二酸化炭素（ＣＯ２）排出量に換算して、ディスプレイに表示する（ステップ１９）。
【００７４】
さらに、監視装置１０８は、選定した画像形成装置の仕様、コスト等をディスプレイに表示する（ステップ２０）。
そして、監視装置１０８は、選定した画像形成装と、現在使用している画像形成装置の消費電力、及び二酸化炭素（ＣＯ２）排出量の情報（データ）をインターネット１３０を介して、外部クライアント１１６に送信する（ステップ２１）。
続いて、監視装置１０８は、選定した画像形成装置の仕様、コスト等の情報（データ）をインターネット１３０を介して、外部クライアント１１６に送信し（ステップ２２）、処理を終了する。
【００７５】
次に、監視装置１０８が画像形成装置からコピー動作情報（画像形成動作情報）の取得、即ち動作モードの検知処理を行い、動作モードとその動作時間を生成する処理について説明する。なお、画像形成装置側に一定期間の動作モードの累積（累計）時間を蓄積し、この情報を取得して、消費電力を算出するようにしてもよい。
図８〜１０は、監視装置１０８における対象画像形成装置における動作モードの検知処理の手順を示したフローチャートである。
まず、監視装置１０８は、対象画像形成装置との通信が可能か否かを判断する（ステップ３１）。
【００７６】
対象画像形成装置との通信が可能でない場合（ステップ３１；Ｎ）、即ち、通信が確認できない場合、コピーモード、待機モード、省エネモード、復帰モードの一連のコピー動作をカウントするコピー動作カウンタ、省エネモード復帰回数カウンタ以外のモードフラグ、カウンタ関連のイニシャライズ（リセット処理）を実行し（ステップ４１）、そのまま処理を終了する。
一方、対象画像形成装置との通信が可能な場合（ステップ３１；Ｙ）、監視装置１０８は、予め設定された一定期間、例えば、１ヶ月間の消費電力の監視処理が実行中であるか否かを判断する（ステップ３２）。
【００７７】
消費電力の監視処理が実行中でない場合（ステップ３２；Ｎ）、そのまま処理を終了する。
一方、消費電力の監視処理が実行中である場合（ステップ３２；Ｙ）、監視装置１０８は、画像形成装置がコピー動作中（コピーモード）であるか否かを判断する（ステップ３３）。
コピーモードである場合（ステップ３３；Ｙ）、監視装置１０８は、コピーモード中フラグをセットし（ステップ３４）、続いて、コピーモード時間を計測するカウンタにカウント１を加算する（ステップ３５）。
【００７８】
次に、監視装置１０８は、省エネモードが解除されるとセットされる復帰中フラグがセットされているか否か、即ち、復帰中フラグ＝１であるか否かを判断する（ステップ３６）。
復帰中フラグがセットされていない場合（ステップ３６；Ｎ）、即ち復帰中フラグ≠１である場合、そのまま処理を終了する。
一方、復帰中フラグがセットされている場合（ステップ３６；Ｙ）、即ち、復帰中フラグ＝１である場合、監視装置１０８は、復帰時間計測中のタイマーを停止し（ステップ３７）、続いて、復帰中のフラグをリセットする（ステップ３８）。
【００７９】
次に、監視装置１０８は、コピー動作カウンタに対応した復帰時間を記憶する（ステップ３９）。なお、最初のコピーモードの場合には、コピー動作カウンタは“１”となっている。
その後、監視装置１０８は、復帰時間計測タイマーをクリアし（ステップ４０）、処理を終了する。
【００８０】
ステップ３３の処理において、画像形成装置がコピー動作中（コピーモード）でないと判断された場合（ステップ３３；Ｎ）、コピーモード中フラグがセットされているか否か、即ち、コピーモード中フラグ＝１であるか否かを判断する（ステップ４２）。
コピーモード中フラグがセットされている場合（ステップ４２；Ｙ）、即ち、コピーモード中フラグ＝１である場合、監視装置１０８は、コピーモード中フラグをリセットし（ステップ４３）、続いて、コピー動作カウンタにカウント１を加算する（ステップ４４）。
【００８１】
次に、監視装置１０８は、コピー動作カウンタに対応したコピーモード時間を記憶する（ステップ４５）。
その後、監視装置１０８は、コピーモード時間カンタ（カウント）をクリアし（ステップ４６）、処理を終了する。
上述した監視装置１０８における一連の動作に基づいて、コピーモード時間を生成することができる。
【００８２】
一方、コピーモード中フラグがセットされていない場合（ステップ４２；Ｎ）、即ち、コピーモード中フラグ＝１でない場合、監視装置１０８は、画像形成装置が待機モード状態であるか否かを判断する（ステップ５１）。
画像形成装置が待機モード状態である場合（ステップ５１；Ｙ）、監視装置１０８は、待機モード中フラグをセットし（ステップ５２）、続いて、待機モード時間を計測するタイマーにカウント１を加算する（ステップ５３）。
次に、監視装置１０８は、省エネモードが解除されるとセットされる復帰中フラグがセットされているか否か、即ち、復帰中フラグ＝１であるか否かを判断する（ステップ５４）。
【００８３】
復帰中フラグがセットされていない場合（ステップ５４；Ｎ）、即ち復帰中フラグ≠１である場合、そのまま処理を終了する。
一方、復帰中フラグがセットされている場合（ステップ５４；Ｙ）、即ち、復帰中フラグ＝１である場合、監視装置１０８は、復帰時間計測中のタイマーを停止し（ステップ５５）、続いて、復帰中のフラグをリセットする（ステップ５６）。
次に、監視装置１０８は、コピー動作カウンタ（コピーモードカウント）に対応した復帰時間を記憶する（ステップ５７）。なお、最初のコピーモードの場合には、コピー動作カウンタは“１”となっている。
その後、監視装置１０８は、復帰時間計測タイマーをクリアし（ステップ５８）、処理を終了する。
【００８４】
ステップ５１の処理において、画像形成装置が待機モード状態でないと判断された場合（ステップ５１；Ｎ）、監視装置１０８は、待機モード中フラグがセットされているか否か、即ち、待機モード中フラグ＝１であるか否かを判断する（ステップ５９）。
待機モード中フラグがセットされている場合（ステップ５９；Ｙ）、即ち、待機モード中フラグ＝１である場合、監視装置１０８は、待機モード中フラグをリセットし（ステップ６０）続いて、コピー動作カウンタに対応した待機モード時間を記憶する（ステップ６１）。なお、最初のコピーモードの場合、コピー動作カウンタは“１”となっている。
次に、監視装置１０８は、待機モード時間の計測タイマー（待機モード時間カウント）をクリアし（ステップ６２）、処理を終了する。
【００８５】
一方、待機モード中フラグがセットされていない場合（ステップ５９；Ｎ）、即ち、待機モード中フラグ≠１である場合、監視装置１０８は、省エネモード中か否かを判断する（ステップ６３）。
省エネモード中である場合（ステップ６３；Ｙ）、監視装置１０８は、待機モード中にセットされる待機モード中フラグをリセットし、続いて、省エネモード中フラグをセットする（ステップ６４）。
次に、省エネモード時間を計測するタイマーのカウンタにカウント１加算し（ステップ６５）、処理を終了する。
【００８６】
省エネモード中でない場合（ステップ６３；Ｎ）、監視装置１０８は、省エネモード中フラグがセットされているか否か、即ち、省エネモード中フラグ＝１であるか否かを判断する（ステップ６６）。
省エネモード中フラグがセットされていない場合（ステップ６６；Ｎ）、即ち、省エネモード中フラグ≠１である場合、そのまま処理を終了する。
一方、省エネモード中フラグがセットされている場合（ステップ６６；Ｙ）、即ち、省エネモード中フラグ＝１である場合、省エネモードが解除されたことになるので、監視装置１０８は、復帰時間を計測するタイマーをスタートさせる（ステップ６７）。
【００８７】
次に、監視装置１０８は、復帰中フラグをセットする（ステップ６８）。
続いて、監視装置１０８は、省エネモード中フラグをリセットし（ステップ６９）、省エネモード復帰回数カウントにカウント１を加算する（ステップ７０）。
監視装置１０８は、コピー動作カウンタ（カウント）に対応した省エネモード時間を記憶する（ステップ７１）。
そして、監視装置１０８は、省エネモード時間を計測タイマーをクリアし（ステップ７２）、処理を終了する。
【００８８】
図１１は、復帰時間を計測するタイマーの制御処理の手順を示したフローチャートである。
なお、ここでは、復帰時間が短く、監視装置１０８が復帰時間を正確に計測できない場合に動作する制御処理について説明する。即ち、ここでは、復帰時間を予め設定し、そして、タイマーにより時間を計測し、この設定時間になり次第、復帰動作が完了したことを検知する制御処理について説明する。
【００８９】
まず、監視装置１０８は、復帰中フラグがセットされているか否か、即ち、復帰中フラグ＝１であるか否かを判断する（ステップ８１）。
復帰中フラグがセットされていない場合（ステップ８１；Ｎ）、即ち、復帰中フラグ≠１である場合、そのまま処理を終了する。
一方、復帰中フラグがセットされている場合（ステップ８１；Ｙ）、即ち、復帰中フラグ＝１である場合、監視装置１０８は、復帰時間を計測するタイマーのカウントを行う（ステップ８２）。
【００９０】
次に、監視装置１０８は、復帰時間を計測するタイマーのカウントが予め設定された値に達したか否か、即ち、復帰時間タイマー＝Ｎ（予め設定された値）であるか否かを判断する（ステップ８３）。
復帰時間を計測するタイマーのカウントが予め設定された値に達していない場合（ステップ８３；Ｎ）、即ち、復帰時間タイマー≠Ｎである場合、そのまま処理を終了する。
【００９１】
一方、復帰時間を計測するタイマーのカウントが予め設定された値に達した場合（ステップ８３；Ｙ）、即ち、復帰時間タイマー＝Ｎである場合、監視装置１０８は、復帰中のフラグをリセットし（ステップ８４）、続いて、復帰時間計測中のタイマーを停止する（ステップ８５）。
続いて、監視装置１０８は、コピー動作カウンタに対応した復帰時間を記憶する（ステップ８６）。なお、最初のコピーモードの場合には、コピー動作カウンタは“１”となっている。
その後、監視装置１０８は、復帰時間計測タイマーをクリアし（ステップ８７）、処理を終了する。
上述した監視装置１０８における一連の動作は、コピー動作（画像形成動作）毎に実行され、各モードの動作時間はコピー動作カウンタに対応して記憶される。なお、コピー動作カウンタが１の場合には、１回目の一連の動作時間が記憶される。
【００９２】
なお、各モードの累積（累計）時間は、次に説明する代替機の画像形成装置の消費電力を算出する処理、及び画像形成装置の消費電力を算出する処理の中で累積（累計）される。
図１２は、画像形成装置からの情報に基づいて、現状の消費電力を算出する処理の手順を示したフローチャートである。
この現状の消費電力を算出する処理は、代替機の選定が行われた場合、又は電力削減目標が入力された時に実行される処理である。
【００９３】
ここでは、各モードの累積（累計）時間から累積（累計）消費電力を算出する処理の手順について説明する。
まず、監視装置１０８は、上述した動作モード毎の動作時間を生成する処理において求められた累計待機時間と、予め設定された現状機の待機時間の１時間当りの消費電力（Ｗｈ）との積を求め、現状機の待機時の累計消費電力の算出を行う（ステップ９１）。
次に、監視装置１０８は、上述した動作モード毎の動作時間を生成する処理において求められた累計省エネモード時間と、予め設定された現状機の省エネモード時間の１時間当りの消費電力（Ｗｈ）との積を求め、省エネモード時の累計消費電力の算出を行う（ステップ９２）。
【００９４】
続いて、監視装置１０８は、上述した動作モード毎の動作時間を生成する処理において求められた累計復帰時間と、予め設定された現状機の復帰時間の１時間当りの消費電力（Ｗｈ）との積を求め、復帰時の累計消費電力の算出を行う（ステップ９３）。
さらに、監視装置１０８は、上述した動作モード毎の動作時間を生成する処理において求められた累計コピー時間と、予め設定された現状機のコピー時間の１時間当りの消費電力（Ｗｈ）との積を求め、コピー時の累計消費電力の算出を行う（ステップ９４）。
そして、監視装置１０８は、上記で算出した待機時の累計消費電力と、省エネモード時の累計消費電力と、復帰時の累計消費電力と、コピー時の累計消費電力と、を合計した現状の消費電力を算出し（ステップ９５）、処理を終了する。
【００９５】
図１３は、画像形成装置からの情報に基づいて、現状の消費電力を算出する処理の手順を示したフローチャートである。
なお、図１３に示す処理では、累計復帰回数と１回の復帰に必要な消費電力（Ｗ）とにより、復帰時の累積（累計）消費電力と、累計コピー枚数と１枚のコピー消費電力（Ｗ）とにより、コピー時の累積（累計）消費電力を算出する。
まず、監視装置１０８は、上述した動作モード毎の動作時間を生成する処理において求められた累計待機時間と、予め設定された現状機の待機時間の１時間当りの消費電力（Ｗｈ）との積を求め、現状機の待機時の累計消費電力の算出を行う（ステップ１０１）。
次に、監視装置１０８は、上述した動作モード毎の動作時間を生成する処理において求められた累計省エネモード時間と、予め設定された現状機の省エネモード時間の１時間当りの消費電力（Ｗｈ）との積を求め、省エネモード時の累計消費電力の算出を行う（ステップ１０２）。
【００９６】
続いて、監視装置１０８は、累計復帰回数と１回の復帰に必要な消費電力（Ｗ）との積を求め、復帰時の累積（累計）消費電力の算出を行う（ステップ１０３）。
さらに、監視装置１０８は、累計コピー枚数と１枚のコピー消費電力（Ｗ）との積を求め、コピー時の累積（累計）消費電力の算出を行う（ステップ１０４）。
そして、監視装置１０８は、上記で算出した待機時の累計消費電力と、省エネモード時の累計消費電力と、復帰時の累積（累計）消費電力と、コピー時の累積（累計）消費電力と、を合計した現状の消費電力を算出し（ステップ１０５）、処理を終了する。
【００９７】
次に、省エネモード移行時間が異なる画像形成装置が抽出された場合に、記憶された現状機器の一定期間の動作パターンを、抽出された画像形成装置（代替機）で実施した場合における消費電力の算出処理について説明する。
図１４、図１５は、省エネモード移行時間が異なる画像形成装置が抽出された場合に、記憶された現状機器の一定期間の動作パターンを、抽出された画像形成装置（代替機）で実施した場合における消費電力の算出処理の手順を示したフローチャートである。
なお、ここでは、省エネモード移行時間が異なる場合、復帰時間の消費電力、待機時間の消費電力、省エネモード時間の消費電力が異なるため、これらの値を補正する処理を行う。
【００９８】
まず、監視装置１０８は、複数の画像形成装置の仕様、電力情報が蓄積されたデーターベース１０７を参照することにより、現状機の仕様と同程度の仕様の機器を抽出する（ステップ１１１）。
次に、監視装置１０８は、抽出機（代替機）の省エネモード移行時間と現状機の省エネモード移行時間とが異なるか否かを判断する（ステップ１１２）。
抽出機（代替機）の省エネモード移行時間と現状機の省エネモード移行時間とが異ならない場合（ステップ１１２；Ｎ）、即ち、抽出機（代替機）の省エネモード移行時間と現状機の省エネモード移行時間とが同じ場合、監視装置１０８は、後述する、図１７に示す代替機の消費電力の算出処理におけるステップ２１１の処理に進む。
【００９９】
一方、抽出機（代替機）の省エネモード移行時間と現状機の省エネモード移行時間とが異なる場合（ステップ１１２；Ｙ）、監視装置１０８は、現状機器の省エネモード移行時間（本実施例では１５分に設定）及び、代替機の省エネモード移行時間（本実施例は１分に設定）を確認する。
そして、監視装置１０８は、現状機器の省エネモード移行時間（本実施例は１５分）より、代替機の省エネモード移行時間が短いか否かを判断する（ステップ１１３）。
現状機器の省エネモード移行時間（本実施例は１５分）より、代替機の省エネモード移行時間が短い場合（ステップ１１３；Ｙ）、監視装置１０８は、確認した省エネモード移行時間（１５分）内に、コピー動作が実施されているか否か、対象画像形成装置の使用状況を一定期間監視し記憶した使用状況情報に基づいて判断する（ステップ１１４）。
【０１００】
省エネモード移行時間内（１５分内）にコピー動作が実施された場合（ステップ１１４；Ｙ）、即ち、待機モード移行時間内（１５分内）にコピー動作が実施された場合、復帰時間は増加するので、復帰時の消費電力も増加する。
ここで監視装置１０８は、待機モード移行時間内（１５分内）にコピー動作が実施された回数（発生回数）の累積（累計）復帰時間を生成（算出）する（ステップ１１５）。この累積（累計）復帰時間は、復帰する時間とこのコピー動作が実施された回数との積により求めることができる。
次に、監視装置１０８は、このコピー動作が実施された回数（発生回数）の累積（累計）待機モード時間を生成（算出）する（ステップ１１６）。この累積（累計）待機モード時間は代替機の省エネモード移行時間（１分）と、このコピー動作が実施された回数との積により求めることができる。
【０１０１】
続いて、監視装置１０８は、このコピー動作が実施された回数（発生回数）の累積（累計）省エネモード時間を生成（算出）する（ステップ１１７）。
この省エネモード時間は、記憶された（実測）の待機モード時間から代替機の省エネモード移行時間（１分）〕を減算することにより求められる。
さらに、この計算を、この動作パターンに基づいて実施することにより、累計省エネモード時間を算出することができる。
【０１０２】
次に、監視装置１０８は、上記回数以外の累計待機モード時間を生成（算出）する（ステップ１１８）。
代替機の省エネモード移行時間は１分に設定されているため、この時間が待機時間となり、この待機時間と省エネモード移行回数との積を求めることにより累計待機モード時間が算出される。
続いて、監視装置１０８は、上記以外の累計省エネモード時間の生成（算出）を行う（ステップ１１９）。
省エネモード時間は、現状の省エネモード移行時間（１５分）から代替機の省エネモード移行時間（１分）を減算し、この値に記憶された（実測の）省エネモード時間を加算することにより求められる。
この計算を上記以外の動作パターンに付いて実施することにより、この累計省エネモード時間を算出することができる。
【０１０３】
次に、監視装置１０８は、上記の累計待機モード時間の算出を行い、この時間と代替機の待機モード時の１時間当りの消費電力（Ｗｈ）との積を求め、代替機の待機モードの累計消費電力の算出を行う（ステップ１２０）。
続いて、監視装置１０８は、上記の累計省エネモード時間の算出を行い、この時間と代替機の省エネモード時の１時間当りの消費電力（Ｗｈ）との積を求め、代替機の省エネモードの累計消費電力の算出を行う（ステップ１２１）。
【０１０４】
そして、監視装置１０８は、上記の累計復帰時間と、記憶された累計復帰時間の合計時間と、復帰時の代替機の１時間当りの消費電力（Ｗｈ）との積を求め、復帰する時の累計消費電力の算出を行う（ステップ１２２）。
その後、監視装置１０８は、コピー時間の累計とコピー動作時の代替機の１時間当りの消費電力（Ｗｈ）との積を求め、コピー時の累計消費電力の算出を行う（ステップ１２３）。なお、ここではコピー動作時の補正は不要であるため、そのままの、コピー時間の累計とコピー動作時の代替機の１時間当りの消費電力（Ｗｈ）との積を求め、コピー時の累計消費電力の算出を行う。
続いて、監視装置１０８は、代替機の、一定期間の累計の消費電力を算出するために、上記で算出した待機時の累計消費電力と省エネモード時の累計消費電力と復帰時の累計消費電力とコピー時の累計消費電力とを合計した消費電力を算出し（ステップ１２４）、ステップ１３０の処理へ進む。
【０１０５】
ステップ１１４の処理において、確認した省エネモード移行時間（１５分）以内に、実施したコピー動作モードがない場合（ステップ１１４；Ｎ）、監視装置１０８は、次に、累計待機時間の生成を行う。
累計待機時間の生成は、代替機の省エネモード移行時間が１分なので、この時間が待機モード時間になり、この待機モード時間と省エネモード移行（復帰）回数との積を求めることにより算出できる。
監視装置１０８は、累計待機モード時間と代替機の待機モード時の１時間当りの消費電力（Ｗｈ）との積を求めることにより、代替機の待機モードの累計消費電力を算出する（ステップ１２５）。
【０１０６】
次に、監視装置１０８は、累計省エネモード時間の生成を行い、この累計省エネモード時間と代替機の省エネモード時の１時間当りの消費電力（Ｗｈ）との積を求めることにより、代替機の省エネモードの累計消費電力を算出する（ステップ１２６）。
なお、代替機の省エネモード時間は、現状の省エネモード移行時間（１５分）から代替機の省エネモード移行時間（１分）を減算し、この値に、記憶（実測）された現状機の省エネモード時間を加算することにより求めることができる。
この計算を記憶された一定期間のコピー動作パターンに付いて実施し、合計することにより、累積（累計）省エネモード時間を求めることができる。
この累積（累計）省エネモード時間と代替機の省エネモード時の１時間当りの消費電力（Ｗｈ）との積を求めることにより代替機の省エネモードの累計消費電力が算出できる。
【０１０７】
次に、監視装置１０８は、省エネモードから復帰する時の復帰時間の累計と代替機の復帰時の１時間当りの消費電力（Ｗｈ）との積を求め、復帰する時の累計消費電力の算出を行う（ステップ１２７）。
なお、ここでは１５分以内のコピー動作はないため、復帰時間の補正は不要となり、そのままの復帰時間の累計と代替機の復帰時の１時間当りの消費電力（Ｗｈ）との積を求め、復帰する時の累計消費電力の算出を行う。
続いて、監視装置１０８は、コピー時間の累計とコピー動作時の代替機の１時間当りの消費電力（Ｗｈ）との積を求め、コピー時の累計消費電力の算出を行う（ステップ１２８）。
なお、ここでも、コピー動作時の補正は不要となるため、そのままのコピー時間の累計とコピー動作時の代替機の１時間当りの消費電力（Ｗｈ）との積を求め、コピー時の累計消費電力の算出を行う。
【０１０８】
次に、監視装置１０８は、代替機の、一定期間の累計消費電力を算出するために、上記で算出した待機時の累計消費電力と省エネモード時の累計消費電力と復帰時の累計消費電力とコピー時の累計消費電力とを合計した消費電力を算出する（ステップ１２９）。
そして、監視装置１０８は、この算出結果（代替機の消費電力）と現状の一定期間の消費電力（別フローにて算出）との比較を行い、現状の消費電力が代替機の消費電力より大きいか否かを判断する（ステップ１３０）。
比較した結果、現状の消費電力が代替機の消費電力より大きい場合（ステップ１３０；Ｙ）、即ち、代替機の消費電力が現状の消費電力より小さい場合、監視装置１０８は、上記代替機器と現在使用している機器の消費電力表示する（ステップ１３１）。
【０１０９】
監視装置１８は、上記代替機器と現在使用している機器の消費電力を二酸化炭素（ＣＯ２）排出量に換算して表示し（ステップ１３２）、上記代替機器の仕様、コスト等をデーターべース１０７を参照し電力監視装置に表示する（ステップ１３３）。
続いて、監視装置１０８は、上記代替機器と現在使用している機器の消費電力及び二酸化炭素（ＣＯ２）排出量を外部クライアント１１６に送信する（ステップ１３４）。
その後、監視装置１０８は、データーべース１０７を参照して、上記代替機器の仕様、コスト等を外部クライアント１１６に送信し（ステップ１３５）、処理を終了する。
【０１１０】
一方、比較した結果、現状の消費電力が代替機の消費電力より小さい場合（ステップ１３０；Ｎ）、監視装置１０８は、現状の機器の消費電力が最適である表示を行い（ステップ１３６）、その後、現状の機器の消費電力が最適である信号を外部クライアント１１６に送信し（ステップ１３７）、処理を終了する。
【０１１１】
ステップ１１３の処理において、現状機器の省エネモード移行時間（本実施例は１５分）より、代替機の省エネモード移行時間が短い場合（ステップ１１３；Ｙ）、即ち、代替機の省エネモード移行時間が、現状機の省エネモード移行時間より長い場合、監視装置１０８は、確認した省エネモード移行時間（１５分）内に、コピー動作が実施されているか否か、現状機（対象画像形成装置）の使用状況を一定期間監視し記憶した使用状況情報に基づいて判断する（ステップ１３８）。
【０１１２】
省エネモード移行時間内（１５分内）にコピー動作が実施された場合（ステップ１３８；Ｙ）、即ち、待機モード移行時間内（１５分内）にコピー動作が実施された場合、復帰時間は増加するので、復帰時の消費電力も増加する。
ここで監視装置１０８は、復帰に必要とする時間（復帰時間）と１５分以内に実施したコピー動作モード回数との積を求め、この値を記憶された累計復帰時間から減算し、省エネモード移行時間を１５分にした時の累計復帰時間を生成する（ステップ１３９）。
次に、監視装置１０８は、１５分以内に実施したコピー動作モード回数の累計待機時間の算出を行う（ステップ１４０）。
コピー動作モード回数の累計待機時間は、現状の待機時間（１分）に記憶（実測）された省エネモード時間を加算する計算を、１５分以内に実施されたコピー動作パターンに付いて行うことにより算出する。
【０１１３】
これにより省エネモード時間が待機モード時間に置き換わったので、次に、監視装置１０８は、この省エネモード時間を累積（累計）省エネモード時間から減算し、発生回数分を削除した累計省エネモード時間の生成（算出）を行う（ステップ１４１）。
続いて、監視装置１０８は、上記以外の累積（累計）待機モード時間の算出を行う（ステップ１４２）。
上記以外の累積（累計）待機モード時間の算出は、総省エネモード移行回数から、１５分以内に発生した省エネモード移行回数を減算し、この値と待機モード時間（１５分）の積を求めることにより行う。
【０１１４】
次に、監視装置１０８は、上記以外の累積（累計）省エネモード時間の算出（生成）を行う（ステップ１４３）。
上記以外の累積（累計）省エネモード時間の算出は、上記以外の記憶された（実測）の省エネモード移行時間から待機モード時間（１５分）と省エネモード移行時間（１分）を減算する処理を上記以外の省エネモード移行が発生した動作パターンに付いて実施することにより行う。
【０１１５】
上記の累計待機モード時間の算出を行った後、監視装置１０８は、累計待機モード時間と代替機の待機モード時の１時間当りの消費電力（Ｗｈ）との積を求め、代替機の待機モードの累計消費電力の算出を行う（ステップ１４４）。
次に、監視装置１０８は、上記の累計省エネモード時間の算出を行い、この時間と代替機の省エネモード時の１時間当りの消費電力（Ｗｈ）との積を求め、代替機の省エネモードの累計消費電力の算出を行う（ステップ１４５）。
【０１１６】
続いて、監視装置１０８は、上記の累計復帰時間と、復帰時の代替機の１時間当りの消費電力（Ｗｈ）との積を求め、復帰する時の累計消費電力の算出を行う（ステップ１４６）。
次に、監視装置１０８は、コピー時間の累計とコピー動作時の代替機の１時間当りの消費電力（Ｗｈ）との積を求め、コピー時の累計消費電力の算出を行う（ステップ１４７）。
なお、ここではコピー動作時の補正は不要であるため、そのままのコピー時間の累計とコピー動作時の代替機の１時間当りの消費電力（Ｗｈ）との積を求め、コピー時の累計消費電力の算出を行う。
【０１１７】
次に、監視装置１０８は、代替機の一定期間の累計の消費電力を算出するために、上記で算出した待機時の累計消費電力と省エネモード時の累計消費電力と復帰時の累計消費電力とコピー時の累計消費電力とを合計した消費電力を算出し（ステップ１４８）、ステップ１５４の処理へ進む。
【０１１８】
ステップ１３８処理において、確認した省エネモード移行時間（１５分）以内に、実施したコピー動作モードがない場合（ステップ１３８；Ｎ）、監視装置１０８は、１分間の省エネモード移行時間（待機時間）を１５分に設定し、この時間を現状の省エネモード時間から差し引いた値を省エネモード時間とし、代替機の消費電力を算出する。
詳しくは、監視装置１０８は、代替機の省エネモード移行時間（１５分）と省エネモード移行回数との積を求めて累計待機モード時間を生成する。そして、この累計待機モード時間と代替機の待機モード時の１時間当りの消費電力（Ｗｈ）との積を求め、待機モードの累計消費電力を算出する（ステップ１４９）。
【０１１９】
次に、監視装置１０８は、累計省エネモード時間の生成を行い、この累計省エネモード時間と代替機の省エネモード時の１時間当りの消費電力（Ｗｈ）との積を求めることにより、代替機の省エネモードの累計消費電力を算出する（ステップ１５０）。
なお、代替機の省エネモード時間は、現状の省エネモード移行時間（１５分）から代替機の省エネモード移行時間（１分）を減算し、この値に、記憶（実測）された現状機の省エネモード時間を加算することにより求めることができる。
この計算を記憶された一定期間のコピー動作パターンに付いて実施し、合計することにより、累積（累計）省エネモード時間を求めることができる。
この累積（累計）省エネモード時と代替機の省エネモード時の１時間当りの消費電力（Ｗｈ）との積を求めることにより代替機の省エネモードの累計消費電力が算出できる。
【０１２０】
次に、監視装置１０８は、省エネモードから復帰する時の復帰時間の累計と代替機の復帰時の１時間当りの消費電力（Ｗｈ）との積を求め、復帰する時の累計消費電力の算出を行う（ステップ１５１）。
なお、ここでは１５分以内のコピー動作はないため、復帰時間の補正は不要となり、そのままの復帰時間の累計と代替機の復帰時の１時間当りの消費電力（Ｗｈ）との積を求め、復帰する時の累計消費電力の算出を行う。
続いて、監視装置１０８は、コピー時間の累計とコピー動作時の代替機の１時間当りの消費電力（Ｗｈ）との積を求め、コピー時の累計消費電力の算出を行う（ステップ１５２）。
なお、ここでも、コピー動作時の補正は不要となるため、そのままのコピー時間の累計とコピー動作時の代替機の１時間当りの消費電力（Ｗｈ）との積を求め、コピー時の累計消費電力の算出を行う。
【０１２１】
次に、監視装置１０８は、代替機の、一定期間の累計消費電力を算出するために、上記で算出した待機時の累計消費電力と省エネモード時の累計消費電力と復帰時の累計消費電力とコピー時の累計消費電力とを合計した消費電力を算出する（ステップ１５３）。
そして、監視装置１０８は、この算出結果（代替機の消費電力）と現状の一定期間の消費電力（別フローにて算出）との比較を行い、現状の消費電力が代替機の消費電力より大きいか否かを判断する（ステップ１５４）。
比較した結果、現状の消費電力が代替機の消費電力より大きい場合（ステップ１５４；Ｙ）、即ち、代替機の消費電力が現状の消費電力より小さい場合、監視装置１０８は、上記代替機器と現在使用している機器の消費電力表示し（ステップ１５５）する。
【０１２２】
監視装置１８は、上記代替機器と現在使用している機器の消費電力を二酸化炭素（ＣＯ２）排出量に換算して表示し（ステップ１５６）、上記代替機器の仕様、コスト等をデーターべース１０７を参照し監視装置１０８に表示する（ステップ１５７）。
続いて、監視装置１０８は、上記代替機器と現在使用している機器の消費電力及び二酸化炭素（ＣＯ２）排出量を外部クライアント１１６に送信し（ステップ１５８）する。
その後、監視装置１０８は、データーべース１０７を参照して、上記代替機器の仕様、コスト等を外部クライアント１１６に送信し（ステップ１５９）、処理を終了する。
【０１２３】
一方、比較した結果、現状の消費電力が代替機の消費電力より小さい場合（ステップ１５４；Ｎ）、監視装置１０８は、現状の機器の消費電力が最適である表示を行い（ステップ１６０）、その後、現状の機器の消費電力が最適である信号を外部クライアント１１６に送信し（ステップ１６１）、処理を終了する。
【０１２４】
次に、算出した一定期間の消費電力、電気料金及び二酸化炭素（ＣＯ２）排出量に換算し表示する処理について説明する。
図１６は、算出した一定期間の消費電力、電気料金及び二酸化炭素（ＣＯ２）排出量に換算し表示する処理の手順を示したフローチャートである。
まず、監視装置１０８は、代替機の消費電力を算出した結果があるか否かを判断する（ステップ１７１）。なお、代替機の消費電力は、上述した処理、又は後述する代替機の消費電力の算出処理を施すことにより算出される。
代替機の消費電力を算出した結果がない場合（ステップ１７１；Ｎ）、そのまま処理を終了する。
一方、代替機の消費電力を算出した結果がある場合（ステップ１７１；Ｙ）、監視装置１０８は、算出した代替機の消費電力を電気料金に換算するために、換算する計算（代替機消費電力×２３円（ＫＷｈ））を実施して、結果を表示する（ステップ１７２）。
【０１２５】
次に、監視装置１０８は、代替機の消費電力を二酸化炭素（ＣＯ２）の排出量に換算し、結果を表示する（ステップ１７３）。
続いて、監視装置１０８は、現状の機器の消費電力を電気料金に換算して表示する（ステップ１７４）。
そして、監視装置１０８は、現状の機器の消費電力を二酸化炭素（ＣＯ２）の排出量に換算し表示し（ステップ１７５）、処理を終了する。
なお、日本の標準的、電気料金換算値は、２３円／ＫＷｈであり、二酸化炭素（ＣＯ２）排出係数は、環境省の「平成１５年度  温室効果ガス排出量算定方法検討会」を使用して計算し、一般電気事業者０．３７７ｋｇＣＯ／ｋＷｈ（平成１５年８月２２日）を標準値（デフォルト）とする。
【０１２６】
次に、上述したステップ１５における現状の画像形成装置の一定期間の動作パターンを抽出された機器で実施した場合における消費電力の算出処理、即ち、代替機の消費電力の算出処理について説明する。
図１７は、省エネモード移行時間が同じ、機器が抽出された場合における、記憶された現状機器の一定期間の動作パターンを抽出された機器（代替機）で実施した場合の消費電力の算出処理の手順について示したフローチャートである。
なお、ここでは、省エネモード移行時間が同じであるため、復帰時間の消費電力、待機時間の消費電力、省エネモード時間の消費電力の補正は必要ない。従って、代替機の各モード毎の電力と各モードの累計時間との積を求める。
【０１２７】
本実施の形態では、本実施例の場合には、抽出機（代替機）が３台存在すると仮定して説明する。
まず、監視装置１０８は、複数の画像形成装置の個々の電力情報及び価格を含む仕様情報を記憶したデーターベース１０７より、現在使用している画像形成装置と同程度の、代替機を抽出する（ステップ２１０）。
次に、監視装置１０８は、抽出された画像形成装置１（抽出機器１）が、現在使用している画像形成装置と省エネモード移行時間が同じか否かを判断する（ステップ２１１）。
【０１２８】
現在使用している画像形成装置と省エネモード移行時間が異なる場合（ステップ２１１；Ｎ）、ステップ２１７の処理に進む。
現在使用している画像形成装置と省エネモード移行時間が同じ場合（ステップ２１１；Ｙ）、監視装置１０８は、画像形成装置から動作モードの情報を取得し、動作モード毎の動作時間を生成する処理（図８〜１０に示すフローチャート）により、待機時間（待機モード時間）の累計を行う。
そして、監視装置１０８は、この累計待機時間（待機モード時間）とデーターベースに予め記憶された抽出機１の待機モード時における１時間当りの消費電力（Ｗｈ）との積を求め、代替機１の待機モードの累計消費電力の算出を行う（ステップ２１２）。
【０１２９】
次に、監視装置１０８は、同様に、図８〜１０に示すフローチャートにおいて、省エネモード時間の累計を行い、この累計省エネモード時間とデーターベースに予め記憶された抽出機１の省エネモード時の１時間当りの消費電力（Ｗｈ）との積を求め、代替機１の省エネモード時の累計消費電力の算出を行う（ステップ２１３）。
また、監視装置１０８は、同様に、図８〜１０に示すフローチャートにおいて、復帰時間の累積（累計）を行い、この累積（累計）復帰時間とデーターベースに予め記憶された抽出機１の復帰時の１時間当りの消費電力（Ｗｈ）との積を求め、代替機１の復帰時の累計消費電力の算出を行う（ステップ２１４）。
【０１３０】
さらに、監視装置１０８は、同様に、図８〜１０に示すフローチャートにおいて、コピー動作時間の累積（累計）を行い、この累積（累計）コピーモード動作時間とデーターベースに予め記憶された抽出機１のコピー動作時の１時間当りの消費電力（Ｗｈ）との積を求め、代替機１のコピー動作時の累計消費電力の算出を行う（ステップ２１５）。
次に、監視装置１０８は、抽出機１の、一定期間の累計消費電力を算出するために、上記で算出した待機時の累計消費電力と省エネモード時の累計消費電力と復帰時の累計消費電力とコピー時の累計消費電力とを合計した消費電力を算出する（ステップ２１６）。
【０１３１】
次に、監視装置１０８は、次に（２番目に）抽出された画像形成装置（抽出機器２）が、現在使用している画像形成装置と省エネモード移行時間が同じか否かを判断する（ステップ２１７）。
現在使用している画像形成装置と省エネモード移行時間が異なる場合（ステップ２１７；Ｎ）、ステップ２２３の処理に進む。
現在使用している画像形成装置と省エネモード移行時間が同じ場合（ステップ２１７；Ｙ）、監視装置１０８は、画像形成装置から動作モードの情報を取得し、動作モード毎の動作時間を生成する処理（図８〜１０に示すフローチャート）により、待機時間（待機モード時間）の累計を行う。
そして、監視装置１０８は、この累計待機時間（待機モード時間）とデーターベースに予め記憶された抽出機２の待機モード時における１時間当りの消費電力（Ｗｈ）との積を求め、代替機２の待機モードの累計消費電力の算出を行う（ステップ２１８）。
【０１３２】
次に、監視装置１０８は、同様に、図８〜１０に示すフローチャートにおいて、省エネモード時間の累計を行い、この累計省エネモード時間とデーターベースに予め記憶された抽出機２の省エネモード時の１時間当りの消費電力（Ｗｈ）との積を求め、代替機２の省エネモード時の累計消費電力の算出を行う（ステップ２１９）。
また、監視装置１０８は、同様に、図８〜１０に示すフローチャートにおいて、復帰時間の累積（累計）を行い、この累積（累計）復帰時間とデーターベースに予め記憶された抽出機２の復帰時の１時間当りの消費電力（Ｗｈ）との積を求め、代替機２の復帰時の累計消費電力の算出を行う（ステップ２２０）。
【０１３３】
さらに、監視装置１０８は、同様に、図８〜１０に示すフローチャートにおいて、コピー動作時間の累積（累計）を行い、この累積（累計）コピーモード動作時間とデーターベースに予め記憶された抽出機２のコピー動作時の１時間当りの消費電力（Ｗｈ）との積を求め、代替機２のコピー動作時の累計消費電力の算出を行う（ステップ２２１）。
次に、監視装置１０８は、抽出機２の、一定期間の累計消費電力を算出するために、上記で算出した待機時の累計消費電力と省エネモード時の累計消費電力と復帰時の累計消費電力とコピー時の累計消費電力とを合計した消費電力を算出する（ステップ２２２）。
【０１３４】
次に、監視装置１０８は、次に（３番目に）抽出された画像形成装置（抽出機器３）が、現在使用している画像形成装置と省エネモード移行時間が同じか否かを判断する（ステップ２２３）。
現在使用している画像形成装置と省エネモード移行時間が異なる場合（ステップ２２３；Ｎ）、図１４に示すステップ１１２の処理に進む。
現在使用している画像形成装置と省エネモード移行時間が同じ場合（ステップ２２３；Ｙ）、監視装置１０８は、画像形成装置から動作モードの情報を取得し、動作モード毎の動作時間を生成する処理（図８〜１０に示すフローチャート）により、待機時間（待機モード時間）の累計を行う。
そして、監視装置１０８は、この累計待機時間（待機モード時間）とデーターベースに予め記憶された抽出機３の待機モード時における１時間当りの消費電力（Ｗｈ）との積を求め、代替機３の待機モードの累計消費電力の算出を行う（ステップ２２４）。
【０１３５】
次に、監視装置１０８は、同様に、図８〜１０に示すフローチャートにおいて、省エネモード時間の累計を行い、この累計省エネモード時間とデーターベースに予め記憶された抽出機３の省エネモード時の１時間当りの消費電力（Ｗｈ）との積を求め、代替機３の省エネモード時の累計消費電力の算出を行う（ステップ２２５）。
また、監視装置１０８は、同様に、図８〜１０に示すフローチャートにおいて、復帰時間の累積（累計）を行い、この累積（累計）復帰時間とデーターベースに予め記憶された抽出機３の復帰時の１時間当りの消費電力（Ｗｈ）との積を求め、代替機３の復帰時の累計消費電力の算出を行う（ステップ２２６）。
【０１３６】
さらに、監視装置１０８は、同様に、図８〜１０に示すフローチャートにおいて、コピー動作時間の累積（累計）を行い、この累積（累計）コピーモード動作時間とデーターベースに予め記憶された抽出機３のコピー動作時の１時間当りの消費電力（Ｗｈ）との積を求め、代替機３のコピー動作時の累計消費電力の算出を行う（ステップ２２７）。
次に、監視装置１０８は、抽出機３の、一定期間の累計消費電力を算出するために、上記で算出した待機時の累計消費電力と省エネモード時の累計消費電力と復帰時の累計消費電力とコピー時の累計消費電力とを合計した消費電力を算出する（ステップ２２８）。
【０１３７】
次に、監視装置１０８は、上記抽出機３台の消費電力の算出結果の表示と現在使用している画像形成装置の消費電力表示を行う（ステップ２２９）。
続いて、監視装置１０８は、現在使用している画像形成装置の消費電力と抽出機１〜３の消費電力の算出結果との比較を行い、一番消費電力少ない機器を選定する（ステップ２３０）。
そして、監視装置１０８は、上記選定した機器と現在使用している画像形成装置の消費電力を二酸化炭素（ＣＯ２）排出量に換算して表示する（ステップ２３１）。
なお、ここでの換算では、環境省の「平成１５年度  温室効果ガス排出量算定方法検討会」を使用して計算し、０．３７７ｋｇＣＯ２／ｋＷｈ（平成１５年８月２２日）の標準値を使用する。
【０１３８】
次に、監視装置１０８は、上記選択した機器の仕様、コスト等をデーターべース１０７を参照し監視装置１０８に表示する（ステップ２３２）。
続いて、監視装置１０８は、上記選択した機器と現在使用している機器の消費電力及び二酸化炭素（ＣＯ２）排出量を外部クライアント１１６に送信する（ステップ２３３）。
そして、監視装置１０８は、データーべース１０７を参照して、上記選択した機器の仕様、コスト等を求め外部クライアント１１６に送信し（ステップ２３４）、処理を終了する。
なお、監視装置１０８から抽出機の３台の算出した消費電力及び二酸化炭素（ＣＯ２）排出量、３台の機器の仕様、コスト等を外部クライアント１１６に送信し、外部クライアント１１６側で選択を受け付けるようにしてもよい。
【０１３９】
次に、上述したステップ１７における消費電力が少ない最適な画像形成装置を選択する処理について説明する。
図１８は、代替機と現在使用している画像形成装置の消費電力及び仕様を表示し、消費電力が少ない最適な画像形成装置を選択する処理の手順を示したフローチャートである。
まず、監視装置１０８は、抽出機１の消費電力の算出結果があるか否かを判断する（ステップ１８１）。
抽出機１の消費電力の算出結果がない場合（ステップ１８１；Ｎ）、ステップ１８９の処理に進む。
抽出機１の消費電力の算出結果がある場合（ステップ１８１；Ｙ）、監視装置１０８は、抽出機１の算出した消費電力を表示する（ステップ１８２）。
【０１４０】
次に、監視装置１０８は、抽出機１の製品価格も含む仕様を表示する（ステップ１８３）。
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１４１】
続いて、監視装置１０８は、算出した現状の機器（現在使用中の画像形成装置）の消費電力を表示する（ステップ１８４）。
次に、監視装置１０８は、現状の機器（現在使用中の画像形成装置）の製品価格も含む仕様を表示する（ステップ１８５）
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１４２】
次に、監視装置１０８は、抽出機１を選択した入力がないか否かを判断する（ステップ１８６）。
抽出機１を選択した入力がない場合（ステップ１８６；Ｙ）、監視装置１０８は、現状の画像形成装置を選択した入力があるか否かを判断する（ステップ１８７）。
抽出機１を選択した入力がある場合（ステップ１８６；Ｎ）、及び、現状の画像形成装置を選択した入力がある場合（ステップ１８７；Ｙ）、監視装置１０８は、選択された機器（画像形成装置）を表示し（ステップ１８８）、処理を終了する。
【０１４３】
一方、現状の画像形成装置を選択した入力がない場合（ステップ１８７；Ｎ）、監視装置１０８は、抽出機２の消費電力の算出結果があるか否かを判断する（ステップ１８９）。
抽出機２の消費電力の算出結果がない場合（ステップ１８９；Ｎ）、ステップ１９７の処理に進む。
抽出機２の消費電力の算出結果がある場合（ステップ１８９；Ｙ）、監視装置１０８は、抽出機２の算出した消費電力を表示する（ステップ１９０）。
【０１４４】
次に、監視装置１０８は、抽出機２の製品価格も含む仕様を表示する（ステップ１９１）。
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１４５】
続いて、監視装置１０８は、算出した現状の機器（現在使用中の画像形成装置）の消費電力を表示する（ステップ１９２）。
次に、監視装置１０８は、現状の機器（現在使用中の画像形成装置）の製品価格も含む仕様を表示する（ステップ１９３）
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１４６】
次に、監視装置１０８は、抽出機２を選択した入力がないか否かを判断する（ステップ１９４）。
抽出機２を選択した入力がない場合（ステップ１９４；Ｙ）、監視装置１０８は、現状の画像形成装置を選択した入力があるか否かを判断する（ステップ１９５）。
抽出機１を選択した入力がある場合（ステップ１９４；Ｎ）、及び、現状の画像形成装置を選択した入力がある場合（ステップ１９５；Ｙ）、監視装置１０８は、選択された機器（画像形成装置）を表示し（ステップ１９６）、処理を終了する。
【０１４７】
一方、現状の画像形成装置を選択した入力がない場合（ステップ１９５；Ｎ）、監視装置１０８は、抽出機３の消費電力の算出結果があるか否かを判断する（ステップ１９７）。
抽出機３の消費電力の算出結果がない場合（ステップ１９７；Ｎ）、そのまま処理を終了する。
抽出機３の消費電力の算出結果がある場合（ステップ１９７；Ｙ）、監視装置１０８は、抽出機３の算出した消費電力を表示する（ステップ１９８）。
【０１４８】
次に、監視装置１０８は、抽出機３の製品価格も含む仕様を表示する（ステップ１９９）。
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１４９】
続いて、監視装置１０８は、算出した現状の機器（現在使用中の画像形成装置）の消費電力を表示する（ステップ２００）。
次に、監視装置１０８は、現状の機器（現在使用中の画像形成装置）の製品価格も含む仕様を表示する（ステップ２０１）
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１５０】
次に、監視装置１０８は、抽出機３を選択した入力がないか否かを判断する（ステップ２０２）。
抽出機３を選択した入力がない場合（ステップ２０２；Ｙ）、監視装置１０８は、現状の画像形成装置を選択した入力があるか否かを判断する（ステップ２０３）。
抽出機３を選択した入力がある場合（ステップ２０２；Ｎ）、及び、現状の画像形成装置を選択した入力がある場合（ステップ２０３；Ｙ）、監視装置１０８は、選択された機器（画像形成装置）を表示し（ステップ２０４）、処理を終了する。
ユーザは、表示された情報に基づいて、使用する機器（画像形成装置）を選択し、その選択情報を監視装置１０８に入力する。
監視装置１０８は、入力された選択情報に基づいて、該当する画像形成装置による画像形成処理を実行する命令（指令）を図示しない所定の画像形成システム管理装置、又は該当する画像形成装置に出し、画像形成処理を実行させる。
【０１５１】
次に、監視装置１０８から抽出機の３台の算出した消費電力及び二酸化炭素（ＣＯ２）排出量、３台の機器の仕様、コスト等を外部クライアント１１６に送信して、外部クライアント１１６側で、抽出機の消費電力及びその仕様、現在使用している画像形成装置の消費電力及びその仕様を表示し、消費電力が少ない画像形成装置の選択を受け付ける処理について説明する。
図１９は、外部クライアント１１６側において、監視装置１０８から送信された、抽出機の消費電力及びその仕様、現在使用している画像形成装置の消費電力及びその仕様を表示し、消費電力が少ない最適な画像形成装置を選択する処理の手順を示したフローチャートである。
【０１５２】
外部クライアント１１６は、抽出機１の消費電力の算出結果があるか否かを判断する（ステップ２４１）。
抽出機１の消費電力の算出結果がない場合（ステップ２４１；Ｎ）、ステップ２４９の処理に進む。
抽出機１の消費電力の算出結果がある場合（ステップ２４１；Ｙ）、外部クライアント１１６は、抽出機１の算出した消費電力を表示する（ステップ２４２）。
【０１５３】
次に、外部クライアント１１６は、抽出機１の製品価格も含む仕様を表示する（ステップ２４３）。
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１５４】
続いて、外部クライアント１１６は、算出した現状の機器（現在使用中の画像形成装置）の消費電力を表示する（ステップ２４４）。
次に、外部クライアント１１６は、現状の機器（現在使用中の画像形成装置）の製品価格も含む仕様を表示する（ステップ２４５）
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１５５】
次に、外部クライアント１１６は、抽出機１を選択した入力がないか否かを判断する（ステップ２４６）。
抽出機１を選択した入力がない場合（ステップ２４６；Ｙ）、外部クライアント１１６は、現状の画像形成装置を選択した入力があるか否かを判断する（ステップ２４７）。
抽出機１を選択した入力がある場合（ステップ２４６；Ｎ）、及び、現状の画像形成装置を選択した入力がある場合（ステップ２４７；Ｙ）、外部クライアント１１６は、選択された機器（画像形成装置）を表示し（ステップ２４８）、処理を終了する。
【０１５６】
一方、現状の画像形成装置を選択した入力がない場合（ステップ２４７；Ｎ）、外部クライアント１１６は、抽出機２の消費電力の算出結果があるか否かを判断する（ステップ２４９）。
抽出機２の消費電力の算出結果がない場合（ステップ２４９；Ｎ）、ステップ２５７の処理に進む。
抽出機２の消費電力の算出結果がある場合（ステップ２４９；Ｙ）、外部クライアント１１６は、抽出機２の算出した消費電力を表示する（ステップ２５０）。
【０１５７】
次に、外部クライアント１１６は、抽出機２の製品価格も含む仕様を表示する（ステップ２５１）。
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１５８】
続いて、外部クライアント１１６は、算出した現状の機器（現在使用中の画像形成装置）の消費電力を表示する（ステップ２５２）。
次に、外部クライアント１１６は、現状の機器（現在使用中の画像形成装置）の製品価格も含む仕様を表示する（ステップ２５３）
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１５９】
次に、外部クライアント１１６は、抽出機２を選択した入力がないか否かを判断する（ステップ２５４）。
抽出機２を選択した入力がない場合（ステップ２５４；Ｙ）、外部クライアント１１６は、現状の画像形成装置を選択した入力があるか否かを判断する（ステップ２５５）。
抽出機１を選択した入力がある場合（ステップ２５４；Ｎ）、及び、現状の画像形成装置を選択した入力がある場合（ステップ２５５；Ｙ）、外部クライアント１１６は、選択された機器（画像形成装置）を表示し（ステップ２５６）、処理を終了する。
【０１６０】
一方、現状の画像形成装置を選択した入力がない場合（ステップ２５５；Ｎ）、外部クライアント１１６は、抽出機３の消費電力の算出結果があるか否かを判断する（ステップ２５７）。
抽出機３の消費電力の算出結果がない場合（ステップ２５７；Ｎ）、そのまま処理を終了する。
抽出機３の消費電力の算出結果がある場合（ステップ２５７；Ｙ）、外部クライアント１１６は、抽出機３の算出した消費電力を表示する（ステップ２５８）。
【０１６１】
次に、外部クライアント１１６は、抽出機３の製品価格も含む仕様を表示する（ステップ２５９）。
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１６２】
続いて、外部クライアント１１６は、算出した現状の機器（現在使用中の画像形成装置）の消費電力を表示する（ステップ２６０）。
次に、外部クライアント１１６は、現状の機器（現在使用中の画像形成装置）の製品価格も含む仕様を表示する（ステップ２６１）
ここでは、仕様例として、時間当りの画像形成枚数、主電源ＯＮ後、画像形成動作が可能になる時間（ウォームアップ時間）、省エネモード解除後に画像形成動作が可能になる時間（復帰時間）、変倍機能、画像編集機能、両面／集約／分割機能又はオプション機能等が表示される。なお、これらの全ての情報を表示する必要は無いため、この内の任意の一部の情報を表示するようにしてもよい。
【０１６３】
次に、外部クライアント１１６は、抽出機３を選択した入力がないか否かを判断する（ステップ２６２）。
抽出機３を選択した入力がない場合（ステップ２６２；Ｙ）、外部クライアント１１６は、現状の画像形成装置を選択した入力があるか否かを判断する（ステップ２６３）。
抽出機３を選択した入力がある場合（ステップ２６２；Ｎ）、及び、現状の画像形成装置を選択した入力がある場合（ステップ２６３；Ｙ）、外部クライアント１１６は、選択された機器（画像形成装置）を表示し（ステップ２６４）、処理を終了する。
ユーザは、表示された情報に基づいて、使用する機器（画像形成装置）を選択し、その選択情報を外部クライアント１１６に入力する。
外部クライアント１１６は、入力された選択情報に基づいて、該当する画像形成装置による画像形成処理を実行する命令（指令）を図示しない所定の画像形成システム管理装置、又は該当する画像形成装置に出し、画像形成処理を実行させる。
【０１６４】
以上説明したように、本実施の形態によれば、複数の画像形成装置における、個々の仕様及び電力情報を記憶したデーターベース１０７を設け、監視装置１０８において、データーベース１０７に基づく現在使用中の画像形成装置と同程度の代替機の抽出処理、現在使用中の画像形成装置の一定期間の消費電力の算出処理、現在使用中の画像形成装置の一定期間の動作状態の監視処理、この監視結果の記憶処理、この記憶された動作状態と同じ動作を抽出した代替機で実施した場合の消費電力の算出処理、現在使用中の画像形成装置と代替機の消費電力の表示処理を実行することにより、ユーザに対して、消費電力が少ない代替機の選択を適切に促すことができる。
即ち、ユーザは、ユーザの使用状況に応じた、より消費電力の少ない画像形成装置の選択を容易に行うことができる。
従って、ユーザの利便性を考慮しつつ、画像形成装置における省電力化を適切に図ることができる電力監視装置及び電力監視ネットワークシステムを提供することができる。
【図面の簡単な説明】
【０１６５】
【図１】本実施の形態に係る電力監視ネットワークシステムの概略構成を示した図である。
【図２】インターネットを使用した電力監視ネットワークシステムの概略構成を示した図である。
【図３】本実施の形態に係る電力監視ネットワークシステムに接続される画像形成装置における回路構成の一例を示した図である。
【図４】画像形成装置システムにおける動作パターンの一例を示した図である。
【図５】省エネモード移行時間を変えた場合における動作パターンの一例を示した図である。
【図６】画像形成装置毎のコピー枚数と消費電力との関係を示したグラフである。
【図７】本実施の形態に係る電力監視ネットワークシステムにおける画像形成装置の代替機を選択する処理の手順を示したフローチャートである。
【図８】監視装置における対象画像形成装置における動作モードの検知処理の手順を示したフローチャートである。
【図９】監視装置における対象画像形成装置における動作モードの検知処理の手順を示したフローチャートである。
【図１０】監視装置における対象画像形成装置における動作モードの検知処理の手順を示したフローチャートである。
【図１１】復帰時間を計測するタイマーの制御処理の手順を示したフローチャートである。
【図１２】画像形成装置からの情報に基づいて、現状の消費電力を算出する処理の手順を示したフローチャートである。
【図１３】画像形成装置からの情報に基づいて、現状の消費電力を算出する処理の手順を示したフローチャートである。
【図１４】省エネモード移行時間が異なる画像形成装置が抽出された場合に、記憶された現状機器の一定期間の動作パターンを、抽出された画像形成装置（代替機）で実施した場合における消費電力の算出処理の手順を示したフローチャートである。
【図１５】省エネモード移行時間が異なる画像形成装置が抽出された場合に、記憶された現状機器の一定期間の動作パターンを、抽出された画像形成装置（代替機）で実施した場合における消費電力の算出処理の手順を示したフローチャートである。
【図１６】算出した一定期間の消費電力、電気料金及び二酸化炭素（ＣＯ２）排出量に換算し表示する処理の手順を示したフローチャートである。
【図１７】省エネモード移行時間が同じ、機器が抽出された場合における、記憶された現状機器の一定期間の動作パターンを抽出された機器（代替機）で実施した場合の消費電力の算出処理の手順について示したフローチャートである。
【図１８】代替機と現在使用している画像形成装置の消費電力及び仕様を表示し、消費電力が少ない最適な画像形成装置を選択する処理の手順を示したフローチャートである。
【図１９】外部クライアント側において、監視装置から送信された、抽出機の消費電力及びその仕様、現在使用している画像形成装置の消費電力及びその仕様を表示し、消費電力が少ない最適な画像形成装置を選択する処理の手順を示したフローチャートである。
【符号の説明】
【０１６６】
１１４  ルータ
１０８  監視装置
１０４  画像形成装置
１０３  画像形成装置
１１０  画像形成装置
１１１  画像形成装置
１０９  ＰＣ
１１２  ＦＡＸ
１１３  照明設備制御装置
１０５  空調機
１１５  入退出管理システム
１３０  インターネット
１０７  データーベース
１１６  外部クライアント
１４０  光センサ
【図１】
2007318401.tif 000003
【図２】
2007318401.tif 000004
【図３】
2007318401.tif 000005
【図４】
2007318401.tif 000006
【図５】
2007318401.tif 000007
【図６】
2007318401.tif 000008
【図７】
2007318401.tif 000009
【図８】
2007318401.tif 000010
【図９】
2007318401.tif 000011
【図１０】
2007318401.tif 000012
【図１１】
2007318401.tif 000013
【図１２】
2007318401.tif 000014
【図１３】
2007318401.tif 000015
【図１４】
2007318401.tif 000016
【図１５】
2007318401.tif 000017
【図１６】
2007318401.tif 000018
【図１７】
2007318401.tif 000019
【図１８】
2007318401.tif 000020
【図１９】
2007318401.tif 000021